(57)【特許請求の範囲】
【請求項１】
中枠に前側から着脱自在に嵌め込まれる遊技盤と、この遊技盤の裏側を構成する裏ユニットと、この裏ユニットの前側に配設され、駆動手段の駆動により移動する可動体により演出を行なう演出装置とを備える遊技機において、
前記可動体に設けられて該可動体と一体的に移動する第１の電気部品と、
前記演出装置における前記可動体を支持する部材側に設けられた第２の電気部品と、
前記裏ユニットの裏側に設けられた基板と、
前記裏ユニットの外縁部に前後に貫通するよう形成された第１配線孔と、
前記裏ユニットにおける前記第１配線孔と前記基板との間に、前後に貫通するよう形成された第２配線孔と、
前記第１の電気部品に一端が接続されると共に前記第１配線孔から該裏ユニットの裏側に引き出された他端が前記基板に接続され、前記裏ユニットの裏側に引き出された移動許容部が前記可動体の移動に伴い移動する第１の配線と、
前記第２の電気部品に一端が接続されると共に前記第２配線孔から該裏ユニットの裏側に引き出された他端が前記基板に接続された第２の配線と、
前記遊技盤の裏側に前記第１配線孔を覆うように配設され、前記第１の配線の移動許容部を収容して該移動許容部における少なくとも遊技盤の外縁側を覆う保護部材とを備える
ことを特徴とする遊技機。
【請求項２】
前記保護部材は、前記移動許容部の全体を覆うケース体であって、該ケース体の外側には、遊技盤に配設される他の電気部品に接続する他の配線を係止する係止部が設けられる請求項１記載の遊技機。
【請求項３】
前記ケース体の内部には、前記第１の配線における移動許容部より前記基板側の部位を、他の配線と纏められる前に係止する第２の係止部が設けられる請求項２記載の遊技機。
【発明の詳細な説明】
【技術分野】
【０００１】
この発明は、駆動手段の駆動により移動される可動体を備える遊技機に関するものである。
【背景技術】
【０００２】
代表的な遊技機であるパチンコ機は、中枠に前側から嵌め込まれる遊技盤の盤面に画成した遊技領域の略中央位置に枠状の装飾部材が配設されて、該装飾部材の窓口から液晶式やドラム式等の図柄表示装置を臨ませ、この図柄表示装置で図柄組み合わせゲームやリーチ演出等の遊技演出を行なうよう構成されている。
【０００３】
また前記装飾部材に、所要の動作を行なう可動体を備えた可動演出装置を配設し、該可動体を前記図柄表示装置で行なわれる遊技演出に合わせて動作させることにより、視覚的な演出効果を向上させ、遊技の興趣を高めるようにしたパチンコ機も知られている。
【０００４】
またパチンコ機では、可動体自体に発光装置を配設し、該可動体の移動によって発光装置による発光位置を変化させることで、演出効果を高めることが提案されている(例えば、特許文献１参照)。
【先行技術文献】
【特許文献】
【０００５】
【特許文献１】特開２００３−２３６０８６号公報
【発明の概要】
【発明が解決しようとする課題】
【０００６】
前記発光装置に一端が接続された配線は、遊技盤の裏側に引き出され、該遊技盤の裏側に配設された対応する基板に接続される。一方で、近年のパチンコ機は、前記図柄表示装置で行なわれる図柄変動演出の多様化やインパクトを高め、遊技の面白みを増大させることを目的として、前記遊技盤に対して大型の図柄表示装置が配設される傾向が強くなっている。そのため、大型の図柄表示装置が配設された遊技盤では、前記配線を引き回し得るスペースが限られ、遊技盤の外周縁に近接する部位を引き回されている。この場合において、配線が遊技盤の外周縁から外方に延出していると、該遊技盤を中枠に嵌め込んで取付ける際に、該配線を中枠との間に挟み込むおそれがある。そこで、裏ユニットに形成した係止フック等に配線を結束し、遊技盤の外周端縁より配線が外方に延出しないようにしている。
【０００７】
しかしながら、発光装置(可動体)の移動に伴って配線が移動するのを許容する必要がある構成においては、遊技盤の裏側に引き出された配線が最初の係止フックで結束されるまでの間に、発光装置の移動に伴う配線の移動を許容する長さ分だけの移動許容部分を設定しておく必要がある。すなわち、前記移動許容部分については係止フックに結束して固定することができないため、該移動許容部分が遊技盤の外周端縁より外方に延出していると、遊技盤を中枠に嵌め込む際に該中枠との間に挟み込まれたり引っ掛けたりして断線等を誘発する問題がある。また、遊技盤と中枠との間に配線の移動許容部分が挟み込まれてしまうと、可動体の移動時に配線に負荷が掛かり、可動体(発光装置)の動作を阻害したり、配線と発光装置との接続部が外れる問題を招くおそれもある。従って、遊技盤を中枠に嵌め込む際には、配線の移動許容部分を中枠との間に挟み込んだり引っ掛けたりしないように慎重に作業を行なう必要があり、作業性が低下する問題も内在している。
【０００８】
すなわち本発明は、従来の技術に係る遊技機に内在する前記課題に鑑み、これを好適に解決するべく提案されたものであって、可動体に配設される電気部品に接続する配線の挟み込み等を防止し得る遊技機を提供することを目的とする。
【課題を解決するための手段】
【０００９】
前記課題を克服し、所期の目的を達成するため、本願の請求項１に係る発明は、
中枠(12)に前側から着脱自在に嵌め込まれる遊技盤(26)と、この遊技盤(26)の裏側を構成する裏ユニット(29)と、この裏ユニット(29)の前側に配設され、駆動手段(79)の駆動により移動する可動体(77,78)により演出を行なう演出装置(73,74)とを備える遊技機において、
前記可動体(77,78)に設けられて該可動体(77,78)と一体的に移動する第１の電気部品(92)と、
前記演出装置(73,74)における前記可動体(77,78)を支持する部材(80)側に設けられた第２の電気部品(79,109)と、
前記裏ユニット(29)の裏側に設けられた基板(112)と、
前記裏ユニット(29)の外縁部に前後に貫通するよう形成された第１配線孔(110,120)と、
前記裏ユニット(29)における前記第１配線孔(110,120)と前記基板(112)との間に、前後に貫通するよう形成された第２配線孔(118,124)と、
前記第１の電気部品(92)に一端が接続されると共に前記第１配線孔(110,120)から該裏ユニット(29)の裏側に引き出された他端が前記基板(112)に接続され、前記裏ユニット(29)の裏側に引き出された移動許容部(111b,121b)が前記可動体(77,78)の移動に伴い移動する第１の配線(111,121)と、
前記第２の電気部品(79,109)に一端が接続されると共に前記第２配線孔(118,124)から該裏ユニット(29)の裏側に引き出された他端が前記基板(112)に接続された第２の配線(118,124)と、
前記遊技盤(26)の裏側に前記第１配線孔(110,120)を覆うように配設され、前記第１の配線(111,121)の移動許容部(111b,121b)を収容して該移動許容部(111b,121b)における少なくとも遊技盤(26)の外縁側を覆う保護部材(113,122)とを備えることを特徴とする。
【００１０】
請求項１の発明によれば、遊技盤の裏側に、第１の配線の移動許容部を少なくとも遊技盤の外縁側を覆う保護部材を配設したから、該移動許容部が遊技盤の外縁から外方に延出するのを防止して、中枠に対する遊技盤の取付け時に第１の配線の挟み込みや引っ掛かりを防止でき、遊技盤の取付け作業性を向上し得る。また、可動体の移動時に移動する第１の配線の移動許容部が、中枠側の部品に引っ掛かるのを保護部材で防ぐことができるから、可動体の動作が第１の配線によって阻害されたり、第１の配線の接続部が外れるのを防止し得る。
【００１１】
請求項２に係る発明では、前記保護部材は、前記移動許容部(111b,121b)の全体を覆うケース体(113,122)であって、該ケース体(113,122)の外側には、遊技盤(26)に配設される他の電気部品(79,109)に接続する他の配線(115,124)を係止する係止部(113b,122b,133)が設けられることを要旨とする。
【００１２】
請求項２の発明によれば、移動許容部の全体をケース体で覆うことで、移動許容部が遊技盤の外縁から外方に延出するのを確実に防止し得る。また、ケース体の外側に設けた係止部で他の配線を係止することで、第１の電気部品に接続する第１の配線の移動許容部と他の配線とが干渉するのを防止し得る。
【００１３】
請求項３に係る発明では、前記ケース体(113,122)の内部には、前記第１の配線(111,121)における移動許容部(111b,121b)より前記基板(112)側の部位を、他の配線(115)と纏められる前に係止する第２の係止部(114,123)が設けられることを要旨とする。
【００１４】
請求項３の発明によれば、第１の配線における移動許容部より基板側の部位を、他の配線と纏められる前に第２の係止部に係止することで、移動許容部の移動時に他の配線と絡まるのを防止し得る。
【発明の効果】
【００１５】
本発明に係る遊技機によれば、可動体に配設される電気部品に接続する配線の挟み込み等を防ぎ、可動体の動作が配線で阻害されたり配線の接続部が外れるのを防止することができる。
【図面の簡単な説明】
【００１６】
【図１】本発明の好適な実施例に係るパチンコ機を示す正面図である。
【図２】実施例に係るパチンコ機を中枠および遊技盤を取外した状態で示す正面図である。
【図３】実施例に係る遊技盤を示す正面図であって、板部材の裏側に配設される装置を図示省略したものである。
【図４】実施例に係る遊技盤を示す正面図であって、板部材の裏側に配設される装置を図示したものである。
【図５】実施例に係る遊技盤を図柄表示装置を取外した状態で示す背面図である。
【図６】実施例に係る遊技盤の縦断側面図である。
【図７】実施例に係る遊技盤の板部材を背面から視た斜視図である。
【図８】実施例に係る遊技盤から裏ユニットボックスを取外した状態で示す背面図である。
【図９】実施例に係る左固定発光演出装置と枠状装飾体とのアース構造を示す要部断面図である。
【図１０】実施例に係る右固定発光演出装置と枠状装飾体とのアース構造を示す要部断面図である。
【図１１】実施例に係る枠状装飾体に配設される接触部を分解して背面から視た斜視図である。
【図１２】実施例に係る裏ユニットベースを正面から視た斜視図である。
【図１３】実施例に係る裏ユニットベースを背面から視た斜視図である。
【図１４】実施例に係る裏ユニットベースを示す背面図である。
【図１５】実施例に係る左固定発光演出装置を分解して正面から視た斜視図である。
【図１６】実施例に係る左固定発光演出装置を分解して背面から視た斜視図である。
【図１７】実施例に係る固定用光透過部材の要部斜視図である。
【図１８】実施例に係る裏ユニットベースにおける左固定発光演出装置の配設部の横断面図である。
【図１９】実施例に係る裏ユニットを示す正面図であって、左右の側部演出ユニットにおける可動発光演出装置が第１位置に臨む状態を示す。
【図２０】実施例に係る裏ユニットを示す正面図であって、左右の側部演出ユニットにおける可動発光演出装置が第２位置に臨む状態を示す。
【図２１】実施例に係る裏ユニットボックスから各種装置を取外した状態の正面図である。
【図２２】実施例に係る裏ユニットボックスに各種装置を取付けた状態の正面図である。
【図２３】実施例に係る裏ユニットボックスに配設される左側部演出ユニットを示す正面図である。
【図２４】実施例に係る左右の側部演出ユニットを分解して正面から視た斜視図である。
【図２５】実施例に係る左側部演出ユニットを示す正面図である。
【図２６】実施例に係る左側部演出ユニットを背面から視た斜視図である。
【図２７】実施例に係る左側部演出ユニットにおける後可動発光演出装置を分解して正面から視た斜視図である。
【図２８】実施例に係る左側部演出ユニットにおける前可動発光演出装置を分解して正面から視た斜視図である。
【図２９】図２５のＡ−Ａ線断面図である。
【図３０】実施例に係る裏ユニットボックスにおける左ケース体の配設部位を示す要部背面図である。
【図３１】実施例に係る裏ユニットボックスにおける右ケース体の配設部位を示す要部背面図である。
【図３２】実施例に係る左ケース体を示す斜視図である。
【図３３】実施例に係る右ケース体を示す斜視図である。
【図３４】実施例に係る裏ユニットボックスを、左右のケース体を取外した状態で示す要部背面図である。
【図３５】変更例に係る発光演出装置を示す概略断面図である。
【図３６】変更例に係る左ケース体が配設された裏ユニットボックスを示す要部背面図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１８】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤２６(図３参照)が着脱可能に保持される本体枠としての中枠１２が開閉および着脱可能に組付けられて、該遊技盤２６の裏側に対して、各種図柄を変動表示可能な図柄表示装置１３が着脱し得るよう配設されている。また、前記中枠１２の前面側には、前記遊技盤２６を透視保護するガラス板を備えた装飾枠としての前枠１４が開閉可能に組付けられると共に、該前枠１４の下方にパチンコ球(遊技球)を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。
【００１９】
(中枠について)
図２に示すように、前記中枠１２は、上縁をなす上枠部材１７と、下縁をなし、スピーカや打球発射装置、操作ハンドル２５等が設置された下枠部材１８と、左側縁をなす左枠部材１９と、右側縁をなす右枠部材２０とから構成されて、これら上下左右の枠部材１７,１８,１９,２０を組付けた際に、全体が前記外枠１１の開口に整合する矩形枠状に形成される。そして、前記上下左右の枠部材を組付けた際に前後に開口する開口部分が、前記遊技盤２６を設置する遊技盤保持部２１として機能する。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。
【００２０】
また、図２に示すように、前記左枠部材１９の開口内側(遊技盤保持部２１側)には、上下に離間する位置に、前記遊技盤２６の左側端部を回転および着脱可能に保持する回転保持具２２,２２が複数設けられると共に、上下の枠部材における右端部(右枠部材２０側)に、固定位置および固定解除位置に回転可能な固定具２３,２３が夫々設けられており、該固定具２３,２３により遊技盤２６の右側上下端部を中枠１２に固定し得るようになっている。すなわち、前記遊技盤２６を中枠１２に配設するには、該遊技盤２６の左側端部を前記回転保持具２２,２２で保持した状態で、遊技盤２６の右側端部を押し込んで遊技盤２６の左側端部(回転保持具２２,２２)を中心に回動させて遊技盤２６の全体を遊技盤保持部２１に臨ませて、前記固定具２３,２３を固定位置に回転変位させて遊技盤２６の右側上下端部を支持固定する。このように中枠１２に組付けられる遊技盤２６は、その周縁部の裏面が前記上下および左の各枠部材１７,１８,１９,２０に当接支持された状態で、前記回転保持具２２,２２および固定具２３,２３で対応箇所の前面が当接支持されて、前後方向の移動が規制される。
【００２１】
前記右枠部材２０には、前記遊技盤２６の裏側に配設される図柄表示装置１３を裏側から覆う保護カバー(図示せず)を開閉可能に枢支する軸受部(金属部品)２４が設けられ、該軸受部２４は、遊技盤２６を中枠１２に嵌め込んだ際に、後述するアース部材６６と接触するよう構成される。また軸受部２４は、中枠１２の裏側に配設される図示しない電源基板(外部アース部)にリード線等を介して電気的に接続されており、遊技盤２６で発生した静電気を、アース部材６６および軸受部２４を介して電源基板に流し得るよう構成してある。
【００２２】
(遊技盤について)
前記中枠１２の遊技盤保持部２１に配設される前記遊技盤２６は、図３に示すように、前面(盤面)にパチンコ球が流下可能な遊技領域２７が画成され、アクリルやポリカーボネート等の光透過性の合成樹脂材からなる平板状の板部材(透明板)２８と、該板部材２８の裏面に組付けられて図柄表示装置１３が着脱可能に配設されると共に、複数の演出装置４７,４８,７１,７３,７４や発光装置４９,５０が配設される裏ユニット２９とから構成され、該裏ユニット２９に形成された前後に開口する開口部２９ａを介して図柄表示装置１３の表示部を前面側から視認し得るよう構成されている。そして、裏ユニット２９に形成される開口部２９ａの周囲に、前記演出装置４７,４８,７１,７３,７４や発光装置４９,５０が配設されている。
【００２３】
(板部材について)
図３または図４に示すように、前記板部材２８の前面には、円弧状に形成した案内レール３０が配設されると共に、該案内レール３０の右方位置に、左端縁が右方に凹む円弧状に形成した第１盤面飾り部材３１ａが配設されている。そして、前記案内レール３０および第１盤面飾り部材３１ａにより前記遊技領域２７が略円形状に画成される。また、前記板部材２８の盤面には、前記案内レール３０の左方(遊技領域２７の外側)の上下位置に第２盤面飾り部材３１ｂが夫々が配設されている。更に、板部材２８の遊技領域２７には、前記裏ユニット２９に形成された開口部２９ａの前側に前後に貫通する貫通口(開口部)２８ａ(図７参照)が形成されており、裏ユニット２９に形成された開口部２９ａおよび板部材２８の貫通口２８ａから遊技盤２６の可視部が構成される。そして、該貫通口２８ａに対して、後述する前後に開口する枠状装飾体(装飾枠体)３６が前側から嵌め込まれるようになっている。
【００２４】
前記板部材２８には、後述する枠状装飾体３６の下方位置に、前記遊技領域２７を流下するパチンコ球が入賞可能な始動入賞装置３２や特別入賞装置３３が配設されている。また、板部材２８には、始動入賞装置３２や特別入賞装置３３の左右両側に複数の普通入賞口３４,３４が夫々が設けられている。
【００２５】
前記始動入賞装置３２には、図３に示す如く、前記遊技領域２７を流下するパチンコ球が入賞可能な上下の始動入賞口３２ａ,３２ｂが設けら、該始動入賞口３２ａ,３２ｂへ入賞したパチンコ球が始動入賞センサで検出されることで、図柄表示装置１３の表示部で図柄変動が開始されると共に、所定数(例えば５個)のパチンコ球が賞球として前記上下の球受け皿１５,１６に払い出されるようになっている。なお、前記下側の始動入賞口３２ｂを挟む左右位置には、相互に近接および離間するよう揺動可能な一対の羽根部材３２ｃ,３２ｃが設けられており、図示しないソレノイドの駆動により羽根部材３２ｃ,３２ｃを揺動することで、下側の始動入賞口３２ｂが開閉されるようになっている。
【００２６】
前記特別入賞装置３３には、前後に開口する横長の特別入賞口３３ａ開設され、該特別入賞口３３ａは、図示しないソレノイドの駆動により開閉作動される開閉扉３３ｂにより開閉されるようになっている。そして、前記図柄表示装置１３で行なわれる図柄変動演出の結果、該図柄表示装置１３に所定の図柄組み合わせ(例えば同一図柄の三つ揃い等)で図柄が停止表示されることで所謂「大当り」が発生し、これにより特別入賞装置３３の特別入賞口３３ａが開放され、該特別入賞口３３ａに入賞したパチンコ球が特別入賞センサで検出されることで、多数の賞球が上下の下球受け皿１５,１６に払い出されるよう構成される。
【００２７】
前記板部材２８の前面には、前記枠状装飾体３６の左側に臨む遊技領域２７に、該遊技領域２７を流下するパチンコ球が通過可能な球通過ゲート３５が配設されている。球通過ゲート３５には、該ゲート３５を通過するパチンコ球を検出した際に、図示しない普通図柄表示装置における普通図柄の変動表示の契機となる入球検知信号を出力する普通図柄入球検出手段(図示せず)が配設されている。この普通図柄入球検出手段は、図示しない制御装置に電気的に接続され、該制御装置は、球通過ゲート３５を通過するパチンコ球を普通図柄入球検出手段が検出したことを条件として、前記始動入賞装置３２の羽根部材３２ｃ,３２ｃを開放するか否かの抽選を行なうよう設定されている。
【００２８】
(枠状装飾体について)
前記板部材２８に形成されている前記貫通口２８ａに対し、前後に開口する枠状の枠状装飾体３６が配設される。すなわち、前記裏ユニット２９の開口部２９ａから臨む前記図柄表示装置１３の表示部は、前記枠状装飾体３６における前後に開口する窓口３６ａを介して板部材２８の前側に露出して、該図柄表示装置１３の表示部で展開される図柄変動演出を前側から視認し得るようになっている。実施例では、枠状装飾体３６の窓口３６ａに対応する領域が、図柄表示装置１３の表示部を前側から視認可能とする遊技盤２６の可視部と対応している。また、枠状装飾体３６には、上縁部から左右両縁部に亘り、板部材２８より前面に突出する円弧状の庇状部３６ｂが設けられており、前記遊技領域２７に打ち出されたパチンコ球が枠状装飾体３６の窓口３６ａを横切って流下するのを該庇状部３６ｂで規制している。
【００２９】
前記枠状装飾体３６には、図３に示す如く、窓口３６ａの下側に、枠内に取込まれたパチンコ球を左右に転動可能なステージ３７が配設されており、該ステージ３７から遊技領域２７に排出されたパチンコ球が、前記始動入賞装置３２の始動入賞口３２ａ,３２ｂ、特別入賞装置３３の特別入賞口３３ａまたは普通入賞口３４,３４等に入賞可能に構成される。また、枠状装飾体３６には、窓口３６ａの左側に、遊技領域２７を流下するパチンコ球をステージ３７に案内する球通路部３８が設けてある。
【００３０】
(枠状装飾体のアース構造について)
前記枠状装飾体３６は、全面に金属メッキが施されて、メッキ面が前記板部材２８に接触して電気的に接続されている。この枠状装飾体３６の裏側には、前記貫通口２８ａの内側であって、後述する固定発光演出装置４７,４８の装飾カバー部材５２,５２や装飾部品５１に電気的に接続する接触部３９が複数箇所に設けられている。各接触部３９は、図９〜図１１に示す如く、枠状装飾体３６に形成されて裏面に開口する凹部４０に摺動自在に配設される可動接触体４１を備える。この可動接触体４１は、全面に金属メッキが施されており、凹部４０内面に接触しつつ進退動することで、該可動接触体４１は枠状装飾体３６と常に電気的な接続状態を維持するようになっている。また凹部４０内には、底面から同軸で後方に向けて延出するボス部４２が設けられ、該ボス部４２には後端で開口するネジ孔４２ａが形成されている。
【００３１】
前記可動接触体４１は、前側の小径筒部４１ａと後側の大径筒部４１ｂとを連設して構成されており、両筒部４１ａ,４１ｂには前記ボス部４２が挿通可能な通孔４１ｃが形成される。また、小径筒部４１ａと大径筒部４１ｂとの連設部には、外周に外側段部４１ｄが形成されると共に、内周に内側段部４１ｅが形成される。そして、可動接触体４１は、通孔４１ｃにボス部４２を挿通するよう凹部４０に収容した状態で、該通孔４１ｃに後側から挿通したネジ(調節手段)４３をボス部４２のネジ孔４２ａに螺挿することで取付けられるようになっている。すなわち、ネジ４３には、ネジ部における頭部側に、前記内側段部４１ｅに当接可能なフランジ４３ａが設けられており、ネジ４３をネジ孔４２ａに螺挿した状態で、内側段部４１ｅがフランジ４３ａに当接することで、該可動接触体４１が凹部４０から脱落しないよう構成される。また、凹部４０の底面と外側段部４１ｄとの間に弾性部材としての圧縮コイルバネ４４が介挿されており、該圧縮コイルバネ４４によって可動接触体４１は、常に凹部４０から後方に突出する方向、すなわちネジ４３のフランジ４３ａに内側段部４１ｅが当接する方向に向けて付勢されている。従って、ネジ４３のネジ孔４２ａに対する螺挿量を可変してボス部４２の後端とフランジ４３ａとの間隔を調節することで、凹部４０に対する可動接触体４１の後方への突出寸法が調節される。なお、可動接触体４１は、それ自体を導電性を有する金属材料で形成したものであってもよい。
【００３２】
(裏ユニットについて)
前記裏ユニット２９は、前記枠状装飾体３６の窓口３６ａを囲う枠状に形成されて前記板部材２８の裏面に配設される板状の裏ユニットベース４５と、前側に開口する箱状に形成されて裏ユニットベース４５の裏側に配設される裏ユニットボックス４６とから構成される(図６参照)。裏ユニットベース４５は、透視不能な合成樹脂材(例えばＡＢＳ樹脂)から、外郭形状が前記板部材２８と略整合する大きさ形状に形成され、略中央位置に前記開口部２９ａを構成する前開口４５ａが形成されている。これに対し、裏ユニットボックス４６は、透明な合成樹脂材(例えばＰＣ樹脂)から形成されて、その略中央位置に前記開口部２９ａを構成する後開口４６ａが形成される。そして、裏ユニットボックス４６の裏側に配設された前記図柄表示装置１３の表示部は、前後の開口４５ａ,４６ａから構成される開口部２９ａを介して前側に臨むよう構成される。
【００３３】
(裏ユニットベースについて)
前記裏ユニットベース４５の前面には、図１２に示す如く、前開口４５ａを挟む左右両側に後側に凹む側部凹所４５ｂ,４５ｂが形成されると共に、前開口４５ａの上側に後側に凹む上部凹所４５ｃが形成されている。左右の側部凹所４５ｂ,４５ｂには、固定発光演出装置(発光装置)４７,４８が夫々配設される。また上部凹所４５ｃには、対応する固定発光演出装置４７,４８の上端部に隣接して上部発光装置４９,５０が配設されると共に、左側に偏った位置に装飾部品５１が配設されている。固定発光演出装置４７,４８、上部発光装置４９,５０および装飾部品５１は、対応する凹所４５ｂ,４５ｂ,４５ｃに配設した状態で、各前端が裏ユニットベース４５の前端と略面一となる厚み寸法に設定されており、該裏ユニットベース４５を板部材２８の裏面に取付けた際に、各装置４７,４８,４９,５０および装飾部品５１が板部材２８の裏面に近接するよう構成される。また各装置４７,４８,４９,５０および装飾部品５１は、板部材２８に配設された前記枠状装飾体３６に一部が前後で重なり、その他の部分は透明な板部材２８を介して前面から視認し得る遊技領域２７の後方に臨むよう構成されている(図４参照)。なお、左右の固定発光演出装置４７,４８については、枠状装飾体３６の窓口３６ａの内側に一部が臨むようになっている。
【００３４】
(固定発光演出装置について)
前記左右の固定発光演出装置４７,４８は左右対称であるので、左側に配設される左固定発光演出装置４７について説明し、右側に配設される右固定発光演出装置４８については、対応する部位に同じ符号を付して詳細な説明は省略する。左固定発光演出装置４７は、図１８に示す如く、裏ユニットベース４５に対する取付部材として機能する最前面に位置する固定用装飾カバー部材(装飾部材)５２と、該カバー部材５２の裏側に配設される固定用光透過部材５３と、複数のＬＥＤ(発光体)５４を実装した固定用ＬＥＤ基板５５と、前記固定用光透過部材５３の裏側を覆う光非透過性の固定用ベース部材５６とを基本的に備える。
【００３５】
(固定用装飾カバー部材について)
前記固定用装飾カバー部材５２は、透視不能(非光透過性)な合成樹脂材から所要形状に形成された前壁５２ａの外縁から後方に外壁５２ｂを突設して構成され、該前壁５２ａには複数の開口からなる光透過部５２ｃが形成されている(図８,図１５,図１６参照)。また固定用装飾カバー部材５２の全面には金属メッキが施されて導電性を有するように構成され、前記枠状装飾体３６に配設された前記可動接触体４１が接触することで該枠状装飾体３６と固定用装飾カバー部材５２とが電気的に接続するよう構成される。なお、固定用装飾カバー部材５２の前壁５２ａ前面には、可動接触体４１と対向する位置に平坦に形成された接触面５２ｄが形成されて、該接触面５２ｄと可動接触体４１とを面接触させ得るようにしてある(図９または図１２参照)。
【００３６】
前記固定用装飾カバー部材５２における前壁５２ａの裏面には、前記光透過部５２ｃが形成される領域の外側位置に突壁５２ｅが形成され、該突壁５２ｅと固定用装飾カバー部材５２における内側(窓口３６ａ側)の外壁５２ｂとにより画成される収容部に、板状の固定用透明部材５７が収容されている。この固定用透明部材５７の前面には、各光透過部５２ｅの開口形状に一致する凸部５７ａが突設され、該凸部５７ａが対応する光透過部５２ｅに嵌合される(図１５参照)。なお、各凸部５７ａには、固定用装飾カバー部材５２の前面に施された意匠に対応する意匠が凹凸により形成してある。また固定用装飾カバー部材５２における前壁５２ａの裏面には、前記固定用光透過部材５３に形成される後述する屈折部６０と対応する位置に主反射部(反射部)５８が突設されている。更に、主反射部５８との間で屈折部６０を挟み得る間隔で離間して副反射部(第２の反射部)５９が屈折部６０に沿って延在するよう突設されると共に、該副反射部５９の突出寸法は主反射部５８の突出寸法より小さく設定されている。なお、両反射部５８,５９の間に臨む前壁５２ａの裏面も、屈折部６０に対する反射部として機能するようになっている。
【００３７】
(固定用光透過部材について)
前記固定用光透過部材５３は、透明な板状に形成されて、前記固定用透明部材５７と大きさおよび形状が略同一に形成された本体部５３ａを有し、該本体部５３ａの裏面には光拡散処理が施してある。固定用光透過部材５３の本体部５３ａにおける左側(窓口３６ａから離間する側)の端縁に、該本体部５３ａの端縁に沿って所定長さで屈折部６０が形成されている。この屈折部６０は、図１７または図１８に示す如く、裏面が平坦で前側に２つの山形の突部６０ａ,６０ａを平行に突設して形成され、該突部６０ａ,６０ａが本体部５３ａの前面から前方に突出すると共に、該屈折部６０の裏面は、本体部５３ａの厚み方向の略中間位置に臨むよう設定される。すなわち、屈折部６０の裏面は、本体部５３ａの裏面に対して厚み寸法の半分だけ前方に位置すると共に、該屈折部６０の裏面と本体部５３ａの裏面とは傾斜面５３ｂにより接続される。そして、前記固定用ＬＥＤ基板５５に実装されたＬＥＤ５４が、屈折部６０の後側で傾斜面５３ｂの側方に臨むように配置される。
【００３８】
前記屈折部６０の幅寸法(本体部５３ａの端縁から屈折部６０の外端までの寸法)は、前記固定用装飾カバー部材５２に形成された主反射部５８と副反射部５９との離間間隔と略同一に設定され、前記突壁５２ｅおよび外壁５２ｂにより画成される前記収容部に固定用光透過部材５３を固定用透明部材５７に重ねて収容した際に、屈折部６０が主反射部５８と副反射部５９との間に収容されるよう構成される。すなわち、主反射部５８と副反射部５９との間に臨む屈折部６０は、本体部５３ａから離間する開放端面が主反射部５８で覆われると共に、屈折部６０における本体部５３ａ側に位置する突部６０ａの傾斜端面(端面)が副反射部５９で覆われ、また屈折部６０の前面は前記前壁５２ａの裏面で覆われて、該屈折部６０から射出される光は、各反射部５８,５９および前壁５２ａで屈折部６０に向けて反射されるよう構成される。
【００３９】
(固定用ＬＥＤ基板について)
前記固定用装飾カバー部材５２の裏側には、前記固定用光透過部材５３の屈折部６０を照明するための２つの固定用ＬＥＤ基板(基板)５５,１３４が配設されている。各固定用ＬＥＤ基板５５,１３４は、対応する位置の屈折部６０に沿う形状に形成され、該固定用ＬＥＤ基板５５,１３４の前側を向く実装面に、複数のＬＥＤ５４が、屈折部６０の延在方向に一定間隔で実装されている。そして、固定用ＬＥＤ基板５５,１３４は、実装面を固定用装飾カバー部材５２の前壁５２ａおよび固定用光透過部材５３の本体部５３ａと平行な姿勢で、固定用装飾カバー部材５２における主反射部５８より外側に設けられた位置決めボス６１にネジ止め固定される。また、固定用ＬＥＤ基板５５,１３４の実装面に実装された各ＬＥＤ５４は、屈折部６０の後側に位置して該屈折部６０に向けて光を照射するように構成される。すなわち、固定用ＬＥＤ基板５５,１３４のＬＥＤ５４は、固定用光透過部材５３の本体部５３ａと平行に配置された固定用ＬＥＤ基板５５に対して直交する前方に向けて光を照射するよう設定されている。なお、固定用ＬＥＤ基板５５,１３４の各ＬＥＤ５４は、屈折部６０および傾斜面５３ｂに対して一定間隔で離間するよう設定される。また、固定用ＬＥＤ基板５５,１３４は、固定用装飾カバー部材５２における前記光透過部５２ｃが形成される領域から外れた前壁(非光過部)５２ａの裏側の位置に臨み、前側から固定用ＬＥＤ基板５５,１３４は勿論、前記ＬＥＤ５４も視認し得ないようになっている。
【００４０】
前記固定用ＬＥＤ基板５５,１３４に配設される複数のＬＥＤ５４は、その並び順に段階的に発光の変化を行なうよう制御される。実施例では、両固定用ＬＥＤ基板５５,１３４のＬＥＤ５４が、固定用光透過部材５３の外縁に沿って略並ぶように配置されており、上側に位置する第１の固定用ＬＥＤ基板５５の一端側(実施例では上端側で下側に位置する第２の固定用ＬＥＤ基板１３４から離間する側)のＬＥＤ５４から他端側(実施例では下端側で第２の固定用ＬＥＤ基板１３４に近接する側)のＬＥＤ５４の順で発光の変化が行なわれ、続いて第２の固定用ＬＥＤ基板１３４の一端側(実施例では上端側で第１の固定用ＬＥＤ基板５５に近接する側)のＬＥＤ５４から他端側(実施例では下端側で第１の固定用ＬＥＤ基板５５から離間する側)のＬＥＤ５４の順で発光の変化が行なわれる。次いで、第２の固定用ＬＥＤ基板１３４の下側から上側、続いて第１の固定用ＬＥＤ基板５５の下側から上側の順で発光の変化が行なわれるように設定されている。なお、ＬＥＤ５４の発光の変化の順は、上記のパターンに限定されるものでなく、第１の固定用ＬＥＤ基板５５が上端から下端に向けて順にＬＥＤ５４の発光の変化を行なうのに対し、同時に第２の固定用ＬＥＤ基板１３４が下端から上端に向けてＬＥＤ５４の発光の変化を行ない、両固定用ＬＥＤ基板５５,１３４の発光の変化が下端または上端に至った後は、他端側に向けてＬＥＤ５４の発光の変化を行なう等、各種のパターンを設定可能である。
【００４１】
ここで、ＬＥＤ５４の発光の変化とは、色彩の変化または色調の変化、色彩および色調の両方の変化を含むものであって、使用されるＬＥＤの仕様によって適宜に設定される。すなわち、単色のＬＥＤを用いる場合は、色調の変化のみが行なわれ、フルカラーのＬＥＤを用いる場合は、色彩および色調およびその組合わせの変化を行なうことができる。
【００４２】
前記固定用光透過部材５３における本体部５３ａの裏面には、前記固定用ベース部材５６との間に固定用反射シート６２が挟持されて臨んでいる。この固定用反射シート６２は、本体部５３ａと大きさおよび形状が略一致するように形成されて、該本体部５３ａの裏面の全体を覆うよう構成される。また、固定用反射シート６２における本体部５３ａと対向する前面には、光の照射角度によって色の見え方が変わる処理が施されている。
【００４３】
(固定用ベース部材について)
前記固定用ベース部材５６は、前記固定用装飾カバー部材５２の外壁５２ｂと突壁５２ｅとにより画成される収容部の形状および大きさに略一致するように形成された板状本体５６ａにおける外縁に前方に突出す側壁５６ｂが形成されて、板状本体５６ａが正面視において固定用光透過部材５３の本体部５３ａと略同一外形に形成されている。そして、固定用装飾カバー部材５２の突壁５２ｅの後端に側壁５６ｂの前端を当接すると共に固定用装飾カバー部材５２の外壁５２ｂの内面に側壁５６ｂの外面を当接した状態で固定用ベース部材５６を固定用装飾カバー部材５２に取付けることで、両部材５２,５６間に空間６３が画成され、該空間６３に前記固定用透明部材５７および固定用光透過部材５３が収容されるよう構成される。固定用ベース部材５６は、非光透過性であって、前記空間６３に入射された光は、板状本体５６ａの前面および側壁５６ｂの内面で反射するよう構成される。すなわち、固定用ベース部材５６における板状本体５６ａの前面および側壁５６ｂの内面が、前記固定用光透過部材５３から射出される光を固定用装飾カバー部材５２に向けて反射する反射面として機能するようになっている。ちなみに、板状本体５６ａの前面および側壁５６ｂの内面は、光反射率の高い白色としてある。また実施例では、固定用光透過部材５３における本体部５３ａの裏面は、前記固定用反射シート６２で略全面が覆われているから、実施例においては固定用反射シート６２自体も反射面を構成している。
【００４４】
前記固定用ベース部材５６の板状本体５６ａにおける前記屈折部６０と対応する縁端部の前面には、該屈折部６０の裏側に位置する固定用ＬＥＤ基板５５,１３４における固定用光透過部材５３の本体部側の端縁部を裏側から覆う被覆部５６ｃが設けられ、各ＬＥＤ５４から照射された光が本体部側の裏側に漏れるのを防止するよう構成される。
【００４５】
(上部発光装置について)
前記左右の上部発光装置４９,５０の構成は、基本的には同じであるので、主に左側に配設される左上部発光装置４９について説明し、右側に配設される右上部発光装置５０については、対応する部位に同じ符号を付して詳細な説明は省略する。左上部発光装置４９は、図１２に示す如く、裏ユニットベース４５に対する取付部材として機能するカバー部品６４と、該カバー部品６４に配設されたランプカバー６５と、該ランプカバー６５の後側に配置されるＬＥＤ基板(図示せず)とから基本的に構成され、該ＬＥＤ基板の前側を向く実装面に実装した複数のＬＥＤを発光することで、ランプカバー６５を裏側から照明するよう構成される。
【００４６】
前記カバー部品６４は、全面に金属メッキが施された導電性を有する部品であって、該カバー部品６４は、前記左固定発光演出装置４７の固定用装飾カバー部材５２に接触して、該カバー部品６４と固定用装飾カバー部材５２とが電気的に接続するよう構成してある。なお、右上部発光装置５０のカバー部品６４は、前記右固定発光演出装置４８の固定用装飾カバー部材５２に接触して、該カバー部品６４と固定用装飾カバー部材５２とが電気的に接続している。
【００４７】
(装飾部品について)
前記上部凹所４５ｃに配設される前記装飾部品５１は、全面に金属メッキが施された導電性を有する部品であって、該装飾部品５１は、前記左上部発光装置４９のカバー部品６４に接触した状態で上部凹所４５ｃに取付けられている。すなわち、左固定発光演出装置４７の固定用装飾カバー部材５２と装飾部品５１とは、左上部発光装置４９のカバー部品６４を介して電気的に接続するよう構成される。なお、右上部発光装置５０のカバー部品６４は、対応する右固定発光演出装置４８の固定用装飾カバー部材５２にのみ電気的に接続するよう構成される。
【００４８】
前記装飾部品５１の前面には、前記枠状装飾体３６に配設した対応する前記可動接触体４１と対向する位置に、平坦に形成された接触面５１ａが形成されて、前記板部材２８の裏面に裏ユニットベース４５を取付けた際に、該板部材２８に配設されている枠状装飾体３６の可動接触体４１と接触面５１ａとが面接触するよう構成してある。
【００４９】
前記遊技盤２６の右側部には、導電性を備えた金属片を折曲成形して構成されたアース部材６６が配設されており、該アース部材６６は、遊技盤２６を中枠１２に取付けた際に前記軸受部２４に接触して電気的に接続するよう構成される。また、前記右固定発光演出装置４８の固定用装飾カバー部材５２に裏面で一端部が電気的に接続されるリード線(アース線)６７の他端部が前記アース部材６６に電気的に接続されている。すなわち、遊技盤２６において、板部材２８の前側に臨む前記枠状装飾体３６が、裏ユニットベース４５に配設されて板部材２８の裏側に臨む固定発光演出装置４７,４８、上部発光装置４９,５０および装飾部品５１と夫々電気的に接続し、板部材２８の前側で発生した静電気を、前記アース部材６６から中枠１２の軸受部２４を介して前記電源基板(外部アース部)に流し得るよう構成してある。なお、一端が右固定発光演出装置４８の固定用装飾カバー部材５２に裏側で接続されたリード線６７は、裏ユニットベース４５の裏側を引き回されて他端がアース部材６６に接続されており、該リード線６７は前記板部材２８の前側から視認し得ないようになっている。またアース部材６６には、前記案内レール３０も電気的に接続されており、板部材２８に接触する案内レール３０からもアース部材６６に静電気が流れるよう構成される。
【００５０】
(裏ユニットボックスについて)
前記裏ユニットボックス４６は、図２１に示す如く、略矩形状に形成された設置板部６８の外縁から前方に向けて外壁６９を突設した箱枠状に形成され、該設置板部６８の略中央位置に前記後開口４６ａが開設されている。各外壁６９の前端所要位置には、外方に向けて設置板部６８と平行に延在する複数のフランジ部７０が夫々形成されており、裏ユニットボックス４６は、各フランジ部７０の前面を前記裏ユニットベース４５の裏面に当接した状態で該ベース４５にネジ止め固定されて、該裏ユニットベース４５の裏面と裏ユニットボックス４６との間に所要の設置空間を画成するよう構成してある。そして、裏ユニットベース４５の裏面と裏ユニットボックス４６との間に画成される設置空間には、図２２に示す如く、前記後開口４６ａの上側に上部可動発光演出装置７１の駆動機構７２,７２が配置されると共に、後開口４６ａを挟む左右両側に側部演出ユニット７３,７４が配置されて、これら演出装置７１および演出ユニット７３,７４により動作および発光による演出を行なうよう構成される。
【００５１】
(上部可動発光演出装置について)
前記上部発光演出装置７１は、前記設置板部６８における上板部に左右に離間して一端が夫々回動自在に枢支された一対のアーム７５,７５の他端が回動自在に枢支された可動体７６を備え、両アーム７５,７５を駆動機構７２,７２によって同期して作動することで、可動体７６が後開口４６ａの前側において上下方向に移動するよう構成される。すなわち、裏ユニットボックス４６の裏側に配設された前記図柄表示装置１３における表示部の前側を、可動体７６が上下方向に移動することで、動作による演出を行なうようになっている。なお、上部発光演出装置７１は、駆動機構７２,７２が前記設置空間に収容された状態で、可動体７６が前記枠状装飾体３６の窓口３６ａ内に臨む位置まで前側に突出するよう配置されている。
【００５２】
(側部演出ユニットについて)
前記裏ユニットボックス４６に配設される左右の演出ユニット７３,７４は左右対称であるので、左側に配設される左演出ユニット７３について説明し、右側に配設される右演出ユニット７４については、対応する部位に同じ符号を付して詳細な説明は省略する。
【００５３】
前記左演出ユニット７３は、図２３〜図２６に示す如く、前後に重なる２つの可動発光演出装置(可動体)７７,７８と、該可動発光演出装置７７,７８を揺動する駆動手段としてのモータ７９とを備え、該モータ７９が配設される取付部材８０を介して前記裏ユニットボックス４６に着脱自在に配設される。取付部材８０は、後側に位置する板状の後取付体８１の前側に、後方に開口する箱状の前取付体８２を取付けて構成され、該前取付体８２の前側に、前記モータ７９が出力軸を後向きで設置される。そして、モータ７９の出力軸における取付部材８０の内部に臨む先端に、駆動歯車８３が一体的に回転するよう配設されている。
【００５４】
(可動発光演出装置について)
前記取付部材８０の内部には、前後方向に延在して支軸８４が配設され、該支軸８４に、前記２つの可動発光演出装置７７,７８が共通して回動自在に配設されて、両演出装置７７,７８は支軸８４を支点として揺動するよう構成される。後側に位置する後可動発光演出装置７７は、図２７に示す如く、所要形状に形成された前壁８５ａの外縁から後方に外壁８５ｂを突設して構成された可動用装飾カバー部材(装飾部材)８５と、該カバー部材８５の裏側に配設される可動用ベース部材８６とから本体が構成されて、該本体の内部に画成される空間８７に、可動用透明部材８８、可動用光透過部材８９、可動用反射シート９０および複数のＬＥＤ(発光体)９１を実装した可動用ＬＥＤ基板(基板)９２を収容して構成される。
【００５５】
(可動用装飾カバー部材について)
前記可動用装飾カバー部材８５は、透視不能(非光透過性)な合成樹脂材から形成され、全面には金属メッキが施されると共に、前記前壁８５ａには複数の開口からなる光透過部８５ｃが形成されている。可動用装飾カバー部材８５における前壁８５ａの裏側には、前面に各光透過部８５ｃの開口形状に一致する凸部８８ａが突設された可動用透明部材８８が、各凸部８８ａを対応する光透過部８５ｃに嵌合した状態で配置される。各凸部８８ａには、可動用装飾カバー部材８５の前面に施された意匠に対応する意匠が凹凸により形成してある。また可動用装飾カバー部材８５における前壁８５ａの裏面には、図２９に示す如く、前記可動用光透過部材８９に形成される後述する屈折部９５と対応する位置に主反射部(反射部)９３が突設されている。更に、主反射部９３との間で屈折部９５を挟み得る間隔で離間して副反射部(第２の反射部)９４が屈折部９５に沿って延在するよう突設されると共に、該副反射部９４の突出寸法は主反射部９３の突出寸法より小さく設定されている。なお、両反射部９３,９４の間に臨む前壁９５ａの裏面も、屈折部９５に対する反射部として機能するようになっている。
【００５６】
(可動用光透過部材について)
前記可動用光透過部材８９は、透明な板状に形成されて、図２７に示す如く、前記可動用透明部材８８と大きさおよび形状が略同一に形成された本体部８９ａを有し、該本体部８９ａの裏面には光拡散処理が施してある。可動用光透過部材８９の本体部８９ａにおける左側(窓口３６ａから離間する側)の端縁に、該本体部８９ａの端縁に沿って所定長さで屈折部９５が形成されている。屈折部９５は、裏面および前面が平坦で前面の幅が小さな台形に形成されて、図２９に示す如く、その前部が本体部８９ａの前面から前方に突出すると共に、該屈折部９５の裏面は、本体部８９ａの厚み方向の略中間位置に臨むよう設定される。すなわち、屈折部９５の裏面は、本体部８９ａの裏面に対して厚み寸法の半分だけ前方に位置すると共に、該屈折部９５の裏面と本体部８９ａの裏面とは傾斜面８９ｂにより接続される。そして、前記可動用ＬＥＤ基板９２に実装されたＬＥＤ９１が、屈折部９５の後側で傾斜面８９ｂの側方に臨むように配置されるようになっている。
【００５７】
前記屈折部９５の幅寸法(本体部８９ａの端縁から屈折部９５の外端までの寸法)は、前記可動用装飾カバー部材８５に形成された主反射部９３と副反射部９４との離間間隔と略同一に設定され、前記可動用光透過部材８９を可動用透明部材８８の後に重ねた際に、該屈折部９５が主反射部９３と副反射部９４との間に収容されるよう構成される。すなわち、主反射部９３と副反射部９４との間に臨む屈折部９５は、本体部８９ａから離間する開放端面が主反射部９３で覆われると共に、屈折部９５における本体部８９ａの前面から前方に突出する突部９５ａにおける本体部８９ａ側に位置する傾斜端面(端面)が副反射部９４で覆われ、また屈折部９５の前面は前記前壁８５ａの裏面で覆われて、該屈折部９５から射出される光は、各反射部９３,９４および前壁８５ａで屈折部９５に向けて反射されるよう構成される。
【００５８】
(可動用ＬＥＤ基板について)
前記可動用装飾カバー部材８５の裏側には、前記可動用光透過部材８９の屈折部９５を照明するための可動用ＬＥＤ基板９２が配設されている。可動用ＬＥＤ基板９２は、図２７に示す如く、屈折部９５に沿う形状に形成され、該可動用ＬＥＤ基板９２の前側を向く実装面に、複数のＬＥＤ９１が、屈折部９５の延在方向に一定間隔で実装されている。そして、可動用ＬＥＤ基板９２は、実装面を可動用装飾カバー部材８５の前壁８５ａおよび可動用光透過部材８９の本体部８９ａと平行な姿勢で、可動用装飾カバー部材８５における主反射部９３より外側に設けられた位置決めピン９６で位置決めされるよう構成してある。また、可動用ＬＥＤ基板９２の実装面に実装された各ＬＥＤ９１は、屈折部９５の後側に位置して屈折部９５に向けて光を照射するよう構成される。すなわち、可動用ＬＥＤ基板９２のＬＥＤ９１は、可動用光透過部材８９の本体部８９ａと平行に配置された可動用ＬＥＤ基板９２に対して直交する前方に向けて光を照射するよう設定されている。なお、可動用ＬＥＤ基板９２の各ＬＥＤ９１は、屈折部９５および傾斜面８９ｂに対して一定間隔で離間するよう設定される。また、可動用ＬＥＤ基板９２は、可動用装飾カバー部材８５における前記光透過部８５ｃが形成される領域から外れた前壁(非光過部)８５ａの裏側の位置に臨み、前側から可動用ＬＥＤ基板９２は勿論、前記ＬＥＤ９１も視認し得ないようになっている。
【００５９】
前記可動用ＬＥＤ基板９２の前面には、長手方向の一端部(支軸８４による枢支端部側)に、各ＬＥＤ９１に接続するソケット９２ａが、接続口を基板９２に沿う外方に向けた姿勢で配設されており、該ソケット９２ａは、可動用装飾カバー部材８５に形成した切欠部８５ｅを介して前側に露出するよう構成される。このソケット９２ａには、後述する左配線１１１の一端に設けられたプラグ１１１ａが着脱自在に差し込み接続される。またソケット９２ａは、図２３,図２５に示す如く、外側(開口部４６ａから離間する側)に向けて斜め上方に接続口が開口するよう設定されており、該ソケット９２ａにプラグ１１１ａを介して接続される左配線１１１は、該ソケット９２ａの上方位置に形成される後述の配線通孔８１を介して裏側に引き出されるよう構成される。更に、可動用ＬＥＤ基板９２の裏面には抵抗９７が配設され、該抵抗９７は、前記可動用ベース部材８６の対応箇所に開設された後述する第２の放熱口９９を介して後側に露出するよう構成される。実施例では、ＬＥＤ９１を備えた可動用ＬＥＤ基板９２が、可動体としての本体と一体的に移動する電気部品となる。
【００６０】
前記可動用ＬＥＤ基板９２に配設される複数のＬＥＤ９１は、その並び順に段階的に発光の変化を行なうよう制御される。なお、複数のＬＥＤ９１の発光の変化のパターン等に関しては、前記固定用ＬＥＤ基板５５,１３４のＬＥＤ５４に関して前述したように、各種のパターンを採用し得る。またＬＥＤ９１の発光の変化についても、用いるＬＥＤの仕様に応じて、色彩または色調およびその組合わせの変化等の何れかまたは全部を行ない得ることは、前述した通りである。
【００６１】
前記可動用光透過部材８９における本体部８９ａの裏面には、前記可動用ベース部材８６との間に可動用反射シート９０が挟持されて臨んでいる。この可動用反射シート９０は、本体部８９ａと大きさおよび形状が略一致するように形成されて、該本体部８９ａの裏面の全体を覆うよう構成される。また、可動用反射シート９０における本体部８９ａと対向する前面には、光の照射角度によって色の見え方が変わる処理が施されている。
【００６２】
(可動用ベース部材について)
前記可動用ベース部材８６は、前記可動用装飾カバー部材８５の外郭形状と略同じ形状で僅かに小さな大きさに形成された板状本体８６ａにおける外縁に、前方に突出す側壁８６ｂが形成されて、該可動用ベース部材８６を可動用装飾カバー部材８５の裏側に取付けた際に、図２９に示す如く、前記可動用透明部材８８、可動用光透過部材８９、可動用反射シート９０および可動用ＬＥＤ基板９２を収容する空間８７を該カバー部材８５との間に画成するよう構成される。そして、空間８７に収容される可動用透明部材８８、可動用光透過部材８９、可動用反射シート９０および可動用ＬＥＤ基板９２は、可動用装飾カバー部材８５と可動用ベース部材８６とで挟持されて位置決め保持されるようになっている。可動用ベース部材８６は、非光透過性であって、前記空間８７に入射された光は、板状本体８６ａの前面および側壁８６ｂの内面で反射するよう構成される。すなわち、可動用ベース部材８６における板状本体８６ａの前面および側壁８６ｂの内面が、前記可動用光透過部材８９から射出される光を可動用装飾カバー部材８５に向けて反射する反射面として機能するようになっている。ちなみに、板状本体８６ａの前面および側壁８６ｂの内面は、光反射率の高い白色としてある。また実施例では、可動用光透過部材８９の本体部８９ａの裏面は、前記可動用反射シート９０で略全面が覆われているから、実施例においては可動用反射シート自体も反射面を構成している。
【００６３】
前記可動用ベース部材８６の板状本体８６ａにおける前記可動用ＬＥＤ基板９２の配設位置に対応して、該基板９２を収容する収容凹部８６ｃが後側に凹むように形成されており、前記位置決めピン９６により位置決めされている可動用ＬＥＤ基板９２が該収容凹部８６ｃに収容された状態で、該可動用ベース部材８６と位置決めピン９６とで挟持されて位置決め保持されるよう構成してある。すなわち、空間８７に収容される各部品８８,８９,９０,９２は、ネジ等の固定手段を用いることなく、可動用ベース部材８６および可動用装飾カバー部材８５で挟持されることで位置決め保持されるようになっている。
【００６４】
前記可動用装飾カバー部材８５および可動用ベース部材８６には、前記空間８７の左側(窓口３６ａから離間する側)に偏って収容されている可動用ＬＥＤ基板９２の対応する位置の外壁８５ｂおよび側壁８６ｂの対向面間(本体の外周縁)に、空間８７と外部とを連通する第１の放熱口９８が形成されている(図２９参照)。また可動用ベース部材８６の板状本体８６ａには、可動用ＬＥＤ基板９２の裏面に配設した前記抵抗９７と対応する位置に、前後に貫通する第２の放熱口９９が形成されており(図２７参照)、該第２の放熱口９９を介して抵抗９７は後側に露出するよう構成される。
【００６５】
(可動発光演出装置の駆動機構について)
前記可動用装飾カバー部材８５および可動用ベース部材８６の上端部には、後支持部材１００が、両部材８５,８６の間に挟持された状態で配設される。この後支持部材１０００は、両部材８５,８６で構成される本体から外方に突出する位置に前後方向に貫通する貫通孔１００ａが穿設され、該貫通孔１００ａに前記支軸８４が挿通されて回動自在に支持されるよう構成される。また後支持部材１００には、本体から外方に突出する扇形の従動歯車１０１が設けられ、該従動歯車１０１が前記駆動歯車８３に噛合している。すなわち、前記モータ７９を駆動して駆動歯車８３を正転または逆転することで、両歯車８３,１０１の噛合作用下に後可動発光演出装置７７は、支軸８４を支点として左右方向に揺動するよう構成される。実施例では後可動発光演出装置７７は、前記左固定発光演出装置４７の後側に位置する第１位置(図１９参照)と、前記枠状装飾体３６の窓口３６ａの内側で図柄表示装置１３の表示部の前側に位置する第２位置(図２０参照)との間を揺動するよう構成されている。
【００６６】
前記後支持部材１００の従動歯車１０１には、後方に突出する案内突起１０１ａが設けられている。これに対し、前記後取付体８１および該後取付体８１が取付けられる前記裏ユニットボックス４６の設置板部６８の対応する夫々の位置に、図２７または図３４に示す如く、案内突起１０１ａが摺動自在に挿通される案内孔８１ａ,６８ａが形成されている。両案内孔８１ａ,６８ａは、前記支軸８４を中心とする弧状に形成されて、案内突起１０１ａが案内孔８１ａ,６８ａ内を摺動することで、後可動発光演出装置７７を安定して揺動するよう構成される。また後可動発光演出装置７７は、案内突起１０１ａが案内孔８１ａ,６８ａの端部に当接する範囲内で揺動可能であり、この揺動範囲が、従動歯車１０１と駆動歯車８３との噛合状態を維持する長さに設定されている。
【００６７】
前記後支持部材１００には、前記空間８７内に臨む前面に、前記可動装飾カバー部材８５の対応する箇所に形成した通孔８５ｄを介して前方に突出する係合突起１００ｂが突設されている。そして、該係合突起１００ｂが、前可動発光演出装置７８に配設される後述する前支持部材１０２の係合孔(係合溝)１０２ｂに摺動自在に係合し、係合突起１００ｂが係合孔１０２ｂの端部に係合当接した状態で、後可動発光演出装置７７の揺動に伴って前可動発光演出装置７８が揺動するよう構成される。
【００６８】
(前可動発光演出装置について)
前記左側部演出ユニット７３を構成する前側に位置する前可動発光演出装置７８の基本的な構成は、前記後可動発光演出装置７７と同じであるので、同じ部材については同一の符号を付して詳細説明は省略し、異なる部分についてのみ説明するものとする。また、前後の可動発光演出装置７７,７８の部材を特に区別する場合には、部材名の前に「前」または「後」を付すものとする。
【００６９】
前可動発光演出装置７８を構成する可動用装飾カバー部材８５と可動用ベース部材８６から構成される本体の上端部に配設される前支持部材１０２には、図２８に示す如く、該本体から突出する部分に前後方向に貫通する貫通孔１０２ａが形成されており、該貫通孔１０２ａに前記支軸８４が挿通されている。すなわち、前可動発光演出装置７８は、後可動発光演出装置７７の揺動支点となる支軸８４を支点として左右方向に揺動するよう構成される。なお、前支持部材１０２には従動歯車は設けられておらず、該前可動発光演出装置７８は、後可動発光演出装置７７の揺動に追従して揺動するよう構成されている。
【００７０】
前記前支持部材１０２における本体内部に臨む位置に前後方向に貫通する係合孔１０２ｂが、前記支軸８４を中心とする弧状に形成されており、該係合孔１０２ｂは、可動用ベース部材８６における板状本体８６ａの対応箇所に形成された通孔１０３を介して後方に開口している。そして、この係合孔１０２ｂに、前記後可動発光演出装置７７の前方に突出する係合突起１００ｂが摺動自在に挿入されている。
【００７１】
前記前可動発光演出装置７８における本体の左側面(窓口３６ａから離間する側の面)に保持部１０４が設けられ、該保持部１０４の内部に永久磁石１０５が収納されている。また前記裏ユニットボックス４６における左側の外壁６９の内側には、図２３に示す如く、前記永久磁石１０５の側方に対応して金属板(磁性体)１０６が配設されており、永久磁石１０５が金属板１０６に磁力によって磁着(吸着)することで、前可動発光演出装置７８は、前記第１位置に臨む後可動発光演出装置７７と前記左固定発光演出装置４７との間において前後に重なる第１位置(図１９参照)に保持されるよう構成される。なお、前可動発光演出装置７８は、前記支軸８４に前支持部材１０２が支持されて垂れ下がっている自由状態では、前記金属板１０６に対して永久磁石１０５の磁力が作用するよう設定されており、該前可動発光演出装置７８に外力が加わっていない状態では永久磁石１０５が金属板１０６に磁着されて前可動発光演出装置７８が第１位置に保持されるように構成される。そして、前可動発光演出装置７８は、左固定発光演出装置４７の後側に位置する第１位置と、前記枠状装飾体３６の窓口３６ａの内側で図柄表示装置１３の表示部の前側に位置する第２位置(図２０参照)との間を揺動可能に構成されている。
【００７２】
前記前可動発光演出装置７８の第１位置では、第１位置に臨む後可動発光演出装置７７の前記係合突起１００ｂが、前記係合孔１０２ｂにおける左右方向の中間に位置するよう設定される。すなわち、前後の可動発光演出装置７７,７８が前後方向に重なり合った第１位置から、後可動発光演出装置７７が前記モータ７９の駆動により第２位置に向けて右方に移動される際には、係合突起１００ｂが係合孔１０２ｂの右端部に左側から当接するまでは該後可動発光演出装置７７のみが移動して前可動発光演出装置７８の後側から前記窓口３６ａ側に徐々に露出し、係合突起１００ｂが係合孔１０２ｂの右端部に当接した後は、後可動発光演出装置７７の移動に伴って永久磁石１０５の磁力に抗して前可動発光演出装置７８が一体的に右方に移動するようになっている。そして、後可動発光演出装置７７が第２位置に至ったときには、前可動発光演出装置７８が前記窓口３６ａの内側で表示部の前側に位置する第２位置に臨み、このとき左固定発光演出装置４７、前可動発光演出装置７８および後可動発光演出装置７７が左右方向に連なる状態となるよう構成される(図２０参照)。更に、第２位置において前後の可動発光演出装置７７,７８が左右方向に連なった状態から、後可動発光演出装置７７がモータ７９の駆動により第１位置に向けて左方に移動される際には、後可動発光演出装置７７の係合突起１００ｂが前可動発光演出装置７８の係合孔１０２ｂにおける右端部に当接したまま両可動発光演出装置７７,７８が一体的に移動し、前可動発光演出装置７８の永久磁石１０５が金属板１０６に磁着して該前可動発光演出装置７８が第１位置に保持された後は、後可動発光演出装置７７のみが移動して第１位置に至るよう構成される。
【００７３】
前記前支持部材１０２には、前可動用ベース部材８６の板状本体８６ａに形成した通孔１０７を介して該板状本体８６ａの裏面(対向面)から後方に突出する突起１０８が形成されており、該突起１０８は、前記後可動発光演出装置７７における後可動用装飾カバー部材８５の前面(対向面)に当接して、前後の可動発光演出装置７７,７８の対向面間に隙間を形成するよう構成される(図２９参照)。突起１０８は、両可動発光演出装置７７,７８が第１位置と第２位置との間を揺動する範囲で常に後可動用装飾カバー部材８５の前面に当接するよう設定される。また、突起１０８が当接する後可動用装飾カバー部材８５の前面は平坦に形成されて、両可動発光演出装置７７,７８が相対的に移動する際の円滑な移動を確保するよう構成されている。
【００７４】
ここで、前記左固定発光演出装置４７、両可動発光演出装置７７,７８は、何れもパチンコ機のモチーフに関連する形態(実施例では羽根)に形成されて、両可動発光演出装置７７,７８が第２位置に位置した状態では羽根を広げた形態を構成するようになっている。また、各演出装置４７,７７,７８における装飾カバー部材５２,８５,８５の表面に施される金属メッキの色合いを変えてあり、両可動発光演出装置７７,７８を第２位置に位置させた状態での演出効果を向上するよう構成している。
【００７５】
(検出手段について)
前記取付部材８０の内部に臨む前記従動歯車１０１には前方に突出する検出片１０１ｂが設けられている。また取付部材８０の内部には、前記検出片１０１ｂを検出可能な検出手段１０９が配設されている。この検出手段１０９は、前記後可動発光演出装置７７が第１位置に到来した際に検出片１０１ｂを検出し、その検出信号に基づいてモータ７９が制御されるよう構成される。検出手段１０９としては、受光素子および発光素子を備えた光学式センサが採用されるが、検出片１０１ｂを検出可能なその他の型式の各種センサを用いることができる。
【００７６】
(左ケース体について)
前記裏ユニットボックス４６における前記左側部演出ユニット７３の取付部材８０が配設される部位に、前後に貫通する左第１配線孔１１０が形成され(図３４参照)、該側部演出ユニット７３に配設される前後の可動用ＬＥＤ基板９２,９２の前記ソケット９２ａ,９２ａに一端がプラグ１１１ａ,１１１ａを介して接続される夫々の左配線１１１が、該左第１配線孔１１０を介して裏側に引き出されるよう構成される。そして、左配線１１１の他端は、裏ユニットボックス４６の裏面上部に配設された上部中継基板(基板)１１２に接続される(図５参照)。裏ユニットボックス４６の裏面には、前記左第１配線孔１１０を覆う保護部材としての左ケース体(ケース体)１１３がネジ止め固定されている。なお、前記後取付体８１には、前記左第１配線孔１１０と対応する位置に配線通孔８１ｂが形成されており、前記左配線１１１は配線通孔８１ｂおよび左第１配線孔１１０を介して裏側に引き出されるようになっている。
【００７７】
前記左ケース体１１３は、図３２に示す如く、前方に開口する略箱状に形成され、左第１配線孔１１０から裏側に引き出された左配線１１１の後述する移動許容部１１１ｂを収容するよう構成される。また左ケース体１１３は、裏ユニットボックス４６に固定した状態で、該ボックス４６との間に右側方(上部中継基板側)に開口する導出口１１３ａを画成するよう構成され、前記左配線１１１は該導出口１１３ａから外部に引き出されて前記上部中継基板１１２に接続されるようになっている。
【００７８】
前記裏ユニットボックス４６の裏面には、前記左ケース体１１３の内部に臨む位置に左配線結束片(第２の係止部)１１４が形成され、該左配線結束片１１４に、左ケース体１１３の内部に臨む左配線１１１が結束具を介して結束される。なお、左配線結束片１１４に結束される左配線１１１は、当該結束部から前記ソケット９２ａ,９２ａに接続する部位までの長さが、前後の可動発光演出装置７７,７８が左右方向に揺動する際に移動してソケット９２ａ,９２ａとプラグ１１１ａ,１１１ａとの接続部に大きな負荷が加わらない寸法に設定される。すなわち、左配線１１１における可動発光演出装置７７,７８の揺動に伴って移動する部分が、移動許容部１１１ｂとして機能するよう構成され、該移動許容部１１１ｂの一部が前記左ケース体１１３の内部に収容されている。すなわち、移動許容部１１１ｂは、左ケース体１１３によって上方、左側方および下方への移動が規制されて、可動発光演出装置７７,７８の揺動に伴う移動時において遊技盤２６の外側縁から外方へはみ出すことがないよう構成してある。
【００７９】
前記上部中継基板１１２(他の電気部品)に一端が接続する他の配線１１５は、裏ユニットボックス４６における裏側左側部を引き回されて、該裏ユニットボックス４６の裏面下部に配設される下部中継基板１１６に接続される(図５参照)。また裏ユニットボックス４６の裏面には、左ケース体１１３の導出口１１３ａに近接する位置に係止フック１１７が形成されており、該係止フック１１７に他の配線１１５が係止されている。またこの係止フック１１７には、左ケース体１１３の導出口１１３ａから引き出された左配線１１１が、他の配線１１５と纏められた状態で係止される。すなわち、係止フック１１７は、左配線１１１および他の配線１１５を係止する手段として兼用される。
【００８０】
前記左ケース体１１３の外側には、図３２に示す如く、裏ユニットボックス４６の裏側を引き回される各種配線を係止可能な左係止部(係止部)１１３ｂが形成されている。なお、実施例では左ケース体１１３の複数箇所(実施例では上面および側面)に左係止部１１３ｂが夫々形成されており、仕様変更によって各種配線を引き回す位置が変わった場合に対応し得るようになっている。
【００８１】
また、前記左側部演出ユニット７３のモータ(電気部品)７９や検出手段(電気部品)１０９に一端が接続される他の配線１１８は、裏ユニットボックス４６の設置板部６８における前記左ケース体１１３で覆われていない部位に形成された左第２配線孔１１９を介して裏側に引き出され(図３０参照)、該他の配線１１８の他端は前記上部中継基板１１２に接続される。
【００８２】
(右ケース体について)
前記裏ユニットボックス４６における前記右側部演出ユニット７４の取付部材８０が配設される部位に、前後に貫通する右第１配線孔１２０が形成され(図３４参照)、該側部演出ユニット７４に配設される前後の可動用ＬＥＤ基板９２,９２の前記ソケット９２ａ,９２ａに一端がプラグ１２１ａ,１２１ａを介して接続される夫々の右配線１２１が、後取付体８１の配線通孔８１ｂおよび右第１配線孔１２０を介して裏側に引き出されるよう構成される。そして、右配線１２１の他端は、前記上部中継基板１１２に接続される。
【００８３】
前記裏ユニットボックス４６の裏面には、前記右第１配線孔１２０を覆う保護部材としての右ケース体(ケース体)１２２がネジ止め固定されている。この右ケース体１２２は、図３３に示す如く、前方に開口する略箱状に形成され、右第１配線孔１２０から裏側に引き出された右配線１２１の移動許容部１２１ｂ(後述)を収容するよう構成される。また右ケース体１２２は、裏ユニットボックス４６に固定した状態で、該ボックス４６との間に左側方に開口する導出口１２２ａを画成するよう構成され、前記右配線１２１は該導出口１２２ａから外部に引き出されて前記上部中継基板１１２に接続されるようになっている。
【００８４】
前記裏ユニットボックス４６の裏面には、前記右ケース体１２２の内部に臨む位置に右配線結束片(第２の係止部)１２３が形成され(図３４参照)、該右配線結束片１２３に、右ケース体１２２の内部に臨む右配線１２１が結束具を介して結束される。なお、右配線結束片１２３に結束される右配線１２１は、前記左配線１１１と同様に、結束部からソケット９２ａ,９２ａに接続する部位までの長さが、前後の可動発光演出装置７７,７８が左右方向に揺動する際に移動してソケット９２ａ,９２ａとプラグ１２１ａ,１２１ａとの接続部に大きな負荷が加わらない寸法に設定されて、この部分が移動許容部１２１ｂとして機能するよう構成され、該移動許容部１２１ｂの一部が前記右ケース体１２２の内部に収容されている。すなわち、右配線１２１の移動許容部１２１ｂは、右ケース体１２２によって上方、右側方および下方への移動が規制されて、可動発光演出装置７７,７８の揺動に伴う移動時において遊技盤２６の外側縁から外方へはみ出すことがないよう構成してある。
【００８５】
前記右側部演出ユニット７４のモータ(電気部品)７９や検出手段(電気部品)１０９に一端が接続される他の配線１２４は、裏ユニットボックス４６の設置板部６８における前記右ケース体１２２で覆われていない部位に形成された右第２配線孔１２５を介して裏側に引き出され(図３１参照)、該他の配線１２４の他端は前記上部中継基板１１２に接続される。また右ケース体１２２の外側(実施例では裏面)に右係止部(係止部)１２２ｂが形成されており、前記他の配線１２４における右第２配線孔１２５から引き出されて上部中継基板１１２に至る間の部位が、該右係止部１２２ｂに係止されている。
【００８６】
〔実施例の作用〕
次に、前述した実施例に係るパチンコ機の作用につき説明する。
【００８７】
前記遊技領域２７に打出されたパチンコ球は、前記枠状装飾体３６の外側の遊技領域２７を流下し、該パチンコ球が前記球通過ゲート３５を通過すると、前記普通図柄入球検出手段の球検出に基づいて前記普通図柄表示装置による抽選が行なわれる。そして、抽選の結果、当たりとなった場合は、普通図柄表示装置に当たり図柄を表示すると共に、前記始動入賞装置３２の羽根部材３２ｃ,３２ｃが開放されて、該始動入賞口３２ａ,３２ｂへの入賞確率が高まる。また、遊技領域２７を流下するパチンコ球が前記球通路部３８に通入すると、該パチンコ球は前記ステージ３７に通出され、該ステージ３７を左右に転動した後に遊技領域２７に排出され、このパチンコ球は始動入賞装置３２の始動入賞口３２ａ,３２ｂや普通入賞口３４に入賞可能となる。
【００８８】
前記始動入賞口３２ａ,３２ｂにパチンコ球が入賞すると、前記制御装置の制御信号に基づいて、前記図柄表示装置１３の図柄が変動開始され、所要の図柄組合わせゲームが展開される。そして、前記図柄表示装置１３で展開される図柄変動ゲームの結果、図柄表示装置１３に所定の図柄組合わせで図柄が停止表示されたときに、前記特別入賞装置３３の開閉扉３３ｂが閉状態から開状態に作動することで特別入賞口３３ａを開放して所謂大当りが発生し、多数の賞球の獲得が可能となる。
【００８９】
また、前記図柄表示装置１３で展開される図柄変動ゲームの演出に応じて、前記発光演出装置４７,４８,７１,７３,７４や発光装置４９,５０が制御手段により作動制御されて、動的および発光による演出により遊技の興趣が向上される。
【００９０】
(遊技盤の静電気対策について)
前記板部材２８の遊技領域２７に配設される金属メッキされた枠状装飾体３６は、該板部材２８と広い範囲で接触して電気的に接続されている。また、板部材２８の裏面に配設される前記裏ユニットベース４５に配設される左右の固定発光演出装置４７,４８および上部発光装置４９,５０は、金属メッキされた固定用装飾カバー部材５２,５２とカバー部品６４とが接触して電気的に接続されている。更に、枠状装飾体３６の裏側上部に臨む金属メッキされた装飾部品５１は、左側の上部発光装置４９のカバー部品６４に接触して電気的に接続されている。そして、枠状装飾体３６は、左右の固定発光演出装置４７,４８および装飾部品５１に、前記接触部３９を介して夫々電気的に接続されている。また、右固定発光演出装置４８の固定用装飾カバー部材５２にリード線６７を介して電気的に接続される前記アース部材６６は、前記中枠１２に設けられる軸受部２４に接触し、該軸受部２４を介して電源基板(外部アース部)に電気的に接続されている。
【００９１】
ここで、合成樹脂製の板部材２８で遊技領域２７が画成されるパチンコ機１０では、当該板部材２８とパチンコ球との摩擦係数が大きく、当該摩擦により遊技中に静電気が発生し易い。また板部材２８の後側には、前記固定発光演出装置４７,４８や上部発光装置４９,５０が近接位置しているから、板部材２８に帯電した静電気が該装置４７,４８,４９,５０に配設されるＬＥＤ基板５５,５５,１３４,１３４に放電すると、該ＬＥＤ基板５５,５５,１３４,１３４のＬＥＤ５４が破壊されるおそれがある。この場合において、前記枠状装飾体３６は板部材２８に対して広い面積で接触しているから、該板部材２８で発生した静電気は枠状装飾体３６に流れる。そして、枠状装飾体３６に流れた静電気は、前記固定発光演出装置４７,４８および上部発光装置４９,５０の金属メッキが施されている固定用装飾カバー部材５２,５２やカバー部品６４等を介して右固定発光演出装置４８の固定用装飾カバー部材５２に接続するリード線６７およびアース部材６６を介して電源基板に逃すことができる。すなわち、板部材２８の後側に位置する固定発光演出装置４７,４８や上部発光装置４９,５０のＬＥＤ基板５５,５５,１３４,１３４に板部材２８から静電気が放電することはなく、該ＬＥＤ基板５５,５５,１３４,１３４に実装されているＬＥＤ５４が破損するのを防止し得る。しかも、枠状装飾体３６と各固定発光演出装置４７,４８や装飾部品５１は、該枠状装飾体３６の裏側に配設される接触部３９を介して電気的に接続すると共に、右固定発光演出装置４８とアース部材６６とは前側に露出しない位置でリード線６７で電気的に接続しているから、透明な板部材２８の裏側にリード線を引き回す必要はなく、見栄えが低下することはない。また、固定発光演出装置４７,４８や上部発光装置４９,５１による発光演出を、静電気対策のためのリード線６７で阻害することもない。
【００９２】
前記固定発光演出装置４７,４８の固定用装飾カバー部材５２および装飾部品５１における枠状装飾体３６の各接触部３９と対向する接触面５２ｄ,５１ａは平坦に形成されているから(図１２参照)、該接触部３９における可動接触体４１と面接触して、固定用装飾カバー部材５２および装飾部品５１と枠状装飾体３６との間で静電気を確実に流すことができる。すなわち、接触不良によって静電気が流れずに帯電したままとなって確実な静電気除去がなし得なくなるのを防止して、効率的な静電気対策を図り得る。また、可動接触体４１は、前述したように圧縮コイルバネ４４によって常に対応する接触面５２ｄ,５１ａに接触する方向に付勢されているから(図９または図１０参照)、可動接触体４１と接触面５２ｄ,５１ａとの接触状態は安定的に維持され、パチンコ機１０で発生する振動等によって接触不良が生ずるのを防止することができる。更に、各部品の成形誤差や組付け誤差によって、枠状装飾体３６の裏面と固定発光演出装置４７,４８の固定用装飾カバー部材５２の接触面５２ｄや装飾部品５１の接触面５１ａとの間隔が異なる場合は、対応する接触部３９において前記ネジ４３のボス部４２に対する螺挿量により可動接触体４１の枠状装飾体３６の裏面からの突出量を調節することで対応でき、安定した接触状態を確保し得る。
【００９３】
(固定発光演出装置の作用について)
前記図柄変動ゲームの演出に応じて発光演出される前記左右の固定発光演出装置４７,４８の作用は同一であるので、左固定発光演出装置４７の作用について説明する。すなわち、左固定発光演出装置４７に配設されている前記固定用ＬＥＤ基板５５,１３４のＬＥＤ５４を発光させると、該光は前記固定用光透過部材５３の屈折部６０の裏面に向けて照射される。屈折部６０に入射された光は、該屈折部６０の山形に形成された突部６０ａ,６０ａの傾面から屈折されて外部に射出され、この光が前記固定用装飾カバー部材５２に設けた主副の反射部５８,５９および前壁５２ａの裏面で反射して屈折部６０に戻る。そして、屈折部６０に再び入射された光は、前記本体部５３ａに導入されて板面に沿って進み、該本体部５３ａの裏面に臨む固定用反射シート６２および固定用ベース部材５６の側壁５６ｂ内面等の反射面で反射されて、当該本体部５３ａの光拡散処理が施されていない前面から前方に射出される。前方に射出された光は、前記固定用透明部材５７を介して固定用装飾カバー部材５２の光透過部５２ｃを裏側から照明する。
【００９４】
前記左固定発光演出装置４７における固定用ＬＥＤ基板５５,１３４は、図１８に示す如く、固定用装飾カバー部材５２の前壁５２ａと平行に延在するように配設してあるから、該カバー部材５２の裏側に必要とされる固定用ＬＥＤ基板５５,１３４の配設スペースを小さくすることができ、左固定発光演出装置４７の薄型化を図り得る。また、固定用ＬＥＤ基板５５,１３４のＬＥＤ５４から照射される光を、屈折部６０で屈折し、主副の反射部５８,５９等で更に反射させて屈折部６０に戻した後に、固定用装飾カバー部材５２と平行に延在する固定用透過部材５３の本体部５３ａに端部側から導入するようにしたから、該本体部５３ａに対する光の入射角度がランダムとなり本体部５３ａ内で光が全体に広がり、少ないＬＥＤ５４により固定用装飾カバー部材５２の全体を照明することができる。すなわち、左固定発光演出装置４７の薄型化を図ったもとで、固定用装飾カバー部材５２の全体を少ないＬＥＤ５４により照明し得る。
【００９５】
前記各ＬＥＤ５４の光を固定用光透過部材５３の本体部５３ａに導入し、該本体部５３ａの広い面(前面)から射出しているから、ＬＥＤ５４からの光が固定用装飾カバー部材５２の光透過部５２ｃで点光となって表われることはなく、演出効果が損なわれることはない。また、固定用光透過部材５３の本体部５３ａの裏面には光拡散処理が施されているから、該本体部５３ａに導入された光を拡散させることができ、ＬＥＤ５４からの光が線状となって表われるのを抑制し得る。
【００９６】
前記左固定発光演出装置４７では、固定用発光透過部材５３および固定用ＬＥＤ基板５５,１３４を、図１８に示す如く、固定用装飾カバー部材５２と固定用ベース部材５６との間に画成される空間６３に収容しているから、固定用ＬＥＤ基板５５,１３４のＬＥＤ５４から照射される光を裏側に漏らすことなく固定用装飾カバー部材５２の光透過部５２ｃを効率的に照明し得る。
【００９７】
前記左固定発光演出装置４７での発光演出に際し、前記固定用ＬＥＤ基板５５,１３４に配設される複数のＬＥＤ５４は、その並び順に段階的に発光の変化を行なうよう制御される。この場合に、前述したように各ＬＥＤ５４からの光を、固定用光透過部材５３の本体部５３ａに対して屈折部６０を介して端部から導入して、該本体部５３ａの全体が発光(面発光)するよう構成しているから、隣り合うＬＥＤ５４,５４の発光による境界が分り難く、固定用装飾カバー部材５２の光透過部５２ｃを境目のない流れるような光のグラデーションで発光演出することができ、発光演出効果を向上し得る。
【００９８】
前記固定用ＬＥＤ基板５５,１３４の複数のＬＥＤ５４は相互に一定間隔で離間し、かつ屈折部６０に対して一定間隔で離間するよう設定されているから、各ＬＥＤ５４から屈折部６０に照射される光の条件は同じとなり、固定用ＬＥＤ基板５５,１３４における各ＬＥＤ５４の光によるグラデーションはより境目のないものとして表現し得る。また、固定用光透過部材５３における本体部５３ａの裏面には光拡散処理が施されているから、グラデーションによる発光演出を行なう際には、ＬＥＤ５４からの光がより拡散され、むらなくグラデーションを表現することができる。更に、実施例では固定用光透過部材５３における本体部５３ａの裏面を覆う固定用反射シート６２の前面に、光の照射角度によって色の見え方が変わる処理を施しているから、本体部５３ａに対して屈折部６０を介して導入される光の入射角度が様々となることと相俟って、単色のＬＥＤを用いた場合でもカラフルな発光演出ができる。すなわち、発光演出に要するコストを低廉に抑えることができる。
【００９９】
(側部演出ユニットの作用について)
前記図柄変動ゲームの演出に応じて作動される前記左右の側部演出ユニット７３,７４の作用は同一であるので、左側部演出ユニット７３の作用について説明する。左側部演出ユニット７３において、前後の可動発光演出装置７７,７８が第１位置に臨む状態では、図１９に示す如く、前記左固定発光演出装置４７の後側に前後に重なって略全体が隠れて、前側から視認し得ない。また前可動発光演出装置７８は、前記永久磁石１０５が金属板１０６に磁力によって磁着されて、振動等によって前記枠状装飾体３６の窓口３６ａの内側に移動してしまうのは防止されている。なお、後可動発光演出装置７７については、後支持部材１００の従動歯車１０１がモータ７９に接続される駆動歯車８３に噛合しているから、該後可動発光演出装置７７も、振動等によって枠状装飾体３６の窓口３６ａの内側に移動してしまうことはなく、図柄変動ゲームとは関係なく意図しないときに窓口３６ａの内側に各演出装置７７,７８が飛び出すのは防止されている。
【０１００】
前記左側部演出ユニット７３のモータ７９が駆動されて前記駆動歯車８３を介して後支持部材１００の従動歯車１０１が正方向に回転されると、後可動発光演出装置７７が第１位置から第２位置に向けて移動される。前可動発光演出装置７８の第１位置では、第１位置に臨む後可動発光演出装置７７の前記係合突起１００ｂは、前記係合孔１０２ｂにおける左右方向の中間に位置しているから、後可動発光演出装置７７がモータ７９の駆動により第２位置に向けて右方に移動される初期には、係合突起１００ｂが係合孔１０２ｂ内を移動し、前可動発光演出装置７８は前記金属板１０６に永久磁石１０５が磁着した第１位置に保持される。すなわち、後可動発光演出装置７８のみが、前記枠状装飾体３６の窓口３６ａの内側に移動して前側から視認可能となる。
【０１０１】
前記後可動発光演出装置７７の移動によって前記係合突起１００ｂが係合孔１０２ｂの右端部に当接すると、後可動発光演出装置７７の移動に伴って永久磁石１０５の磁力に抗して前可動発光演出装置７８が一体的に右方に移動する。すなわち、前後の可動発光演出装置７７,７８が左右方向に連なった状態で枠状装飾体３６の窓口３６ａの内側に移動して前側から視認可能となる。そして、駆動歯車８３が所定角度回転し、前記後可動発光演出装置７７が第２位置に到来すると、前記モータ７９が停止制御され、前後の可動発光演出装置７７,７８は第２位置に保持される。図２０に示すように、前後の可動発光演出装置７７,７８が第２位置に至った状態では、左固定発光演出装置４７、前可動発光演出装置７８および後可動発光演出装置７７が左右方向に連なる状態となり、前記図柄表示装置１３の表示部における左半分を略覆ようになる。この状態で左固定発光演出装置４７、前可動発光演出装置７８および後可動発光演出装置７７の夫々のＬＥＤ５４,９１,９１を発光させれば、遊技盤２６における遊技領域２７の左側半分の略全体を発光演出することができる。なお、右側部演出ユニット７４においても同様に前後の可動発光演出装置７７,７８を第２位置に保持したもとで各ＬＥＤ５４,９１,９１を発光させれば、遊技領域２７の全体を発光演出することができる。
【０１０２】
前記前後の可動発光演出装置７７,７８を第２位置で停止保持している状態で、前記モータ７９が逆方向に回転駆動されると、駆動歯車８３および従動歯車１０１が逆方向に回転し、後可動発光演出装置７７は第２位置から第１位置に向けて移動する。このとき、前可動発光演出装置７８は、自重によって常に第２位置に向けて戻るように重心位置が設定されているから、後可動発光演出装置７７が第１位置に向けて移動する際には、前記係合突起１００ｂが係合孔１０２ｂの右端部に当接したまま前後の可動発光演出装置７７,７８が一体的に移動する。そして、前可動発光演出装置７８の永久磁石１０５が金属板１０６に磁着して該前可動発光演出装置７８が第１位置に保持された後は、後可動発光演出装置７７のみが移動し、前記後支持部材１００の検出片１０１ｂが検出手段１０９で検出されることで前記モータ７９が停止制御されて、該後可動発光演出装置７７が第１位置に保持される。
【０１０３】
実施例の遊技盤２６では、透明な板部材２８の裏側に前記裏ユニットベース４５を取付けることで、該ベース４５に配設した固定発光演出装置４７,４８を、板部材２８の裏側において遊技領域２７に対応して位置させている。すなわち、前記枠状装飾体３６の窓口３６ａの外周囲に、遊技領域２７を狭くすることなく大型の固定発光演出装置４７,４８を配設することができ、インパクトのある発光演出を行ない得る。更に、裏ユニットベース４５の裏側に裏ユニットボックス４６を取付けることで、該ボックス４６に配設した左右の側部演出ユニット７３,７４を対応する左右の固定発光演出装置４７,４８の後側に位置させている。各側部演出ユニット７３,７４は、前後の関係で配設した可動発光演出装置７７,７８を備えており、両可動発光演出装置７７,７８は固定発光演出装置４７,４８の後側に位置しているから、動作により演出を行なう装置の大型化を、遊技領域２７を狭くすることなく図り得る。
【０１０４】
前記固定発光演出装置４７,４８を裏ユニットベース４５に配設すると共に、側部演出ユニット７３,７４を裏ユニットボックス４６に配設しているから、固定発光演出装置４７,４８および側部演出ユニット７３,７４を１つの基体に配設する場合に比べ、ベース４５やボックス４６自体の構成を簡略化することができ、全体として製造コストを低廉に抑えることができる。また、１つの基体に複数の装置を取付ける構成に比べ、固定発光演出装置４７,４８および側部演出ユニット７３,７４に対応する裏ユニットベース４５および裏ユニットボックス４６に対する取付け精度を向上することができ、固定発光演出装置４７,４８および側部演出ユニット７３,７４を適正な位置に配置し得る。
【０１０５】
前記側部演出ユニット７３,７４では、前後の可動発光演出装置７７,７８を１つのモータ７９で揺動するよう構成したから、部品点数や組付け工数を低減し得ると共に、設置スペースを小さくすることが可能となる。また実施例の側部演出ユニット７３,７４では、前後の可動発光演出装置７７,７８の隙間を突起１０８によって確保するよう構成してあるから、支軸８４に吊り下げ(片持ち)される構成であっても、両可動発光演出装置７７,７８の相対的な移動を円滑に行ない得る。すなわち、可動発光演出装置７７,７８の円滑な移動を確保したもとで、該演出装置７７,７８の大型化を図ることができる。また、突起１０８によって前後の可動発光演出装置７７,７８の間に隙間を確保しているから、該装置７７,７８の移動時やパチンコ機１０に加わる振動等によって前後の可動発光演出装置７７,７８のカバー部材８５とベース部材８６が直接接触するのは防止され、両装置７７,７８が損傷する等の事態の発生を防ぐことができる。
【０１０６】
(配線保護対策について)
前記左側部演出ユニット７３において、前後の可動発光演出装置７７,７８の可動用ＬＥＤ基板９２,９２のソケット９２ａ,９２ａに一端がプラグ１１１ａ,１１１ａを介して接続される左配線１１１は、前記後取付体８１の配線通孔８１ｂおよび裏ユニットボックス４６の左第１配線孔１１０を介して裏側に引き出され、他端が前記上部中継基板１１２に接続されている。また、裏ユニットボックス４６の裏側に引き出された左配線１１１における前記移動許容部１１１ｂは、該ボックス４６の裏面に配設されている前記左ケース体１１３の内部に収容されている(図３０参照)。そして、前記可動発光演出装置７７,７８が左右方向に揺動する際には、左配線１１１の移動許容部１１１ｂが追従して移動することで、ソケット９２ａ,９２ａとプラグ１１１ａ,１１１ａとの接続部に大きな負荷が加わることはなく、ソケット９２ａ,９２ａからプラグ１１１ａ,１１１ａが抜けるのは防止される。このときに、裏ユニットボックス４６の裏側に引き出されている左配線１１１の移動許容部１１１ｂは、左ケース体１１３の内部に収容されて、該移動許容部１１１ｂが遊技盤２６の外縁から外方に延出するのは規制される。すなわち、移動許容部１１１ｂが移動する際に遊技盤２６の外縁から延出して中枠側の部品に引っ掛かるのを左ケース体１１３により防ぐことができるから、可動発光演出装置７７,７８の動作が左配線１１１によって阻害されたり、左配線１１１の前記接続部が外れるのを防止し得る。また、図２３または図２５に示す如く、前記ソケット９２ａに接続される左配線１１１が裏側に引き出される配線通孔８１ｂは、該ソケット９２ａの上方に位置しており、該ソケット９２ａの接続口が斜め上方を向く姿勢となっていることから、ソケット９２ａに接続する左配線１１１を無理に折曲することなく配線通孔８１ｂまで引き回すことができる。従って、可動発光演出装置７７,７８が左右方向に揺動する際においても、左配線１１１におけるソケット９２ａに接続する近傍において大きな負荷が加わるのをより抑制し得る。
【０１０７】
実施例の遊技盤２６では、前記左側部演出ユニット７３は、前記裏ユニットボックス４６における上隅部に支軸８４を介して揺動自在に配設されているから、該左側部演出ユニット７３に配設される可動用ＬＥＤ基板９２,９２に一端が接続される左配線１１１については、該裏ユニットボックス４６の上隅部から裏側に引き出して処理する必要がある。すなわち、裏側に引き出された左配線１１１は、裏ユニットボックス４６の外縁近傍(遊技盤２６の外縁近傍)で引き回されており、前記中枠１２に対する遊技盤２６の取付け時に左配線１１１の挟み込みや引っ掛かりを生ずるおそれがある。しかるに、実施例の遊技盤２６では、前記裏ユニットボックス４６の裏側に引き出された左配線１１１の移動許容部１１１ｂを左ケース体１１３の内部に収容して、裏ユニットボックス４６の外縁から外方に延出しないように構成してあるから、中枠１２に対する遊技盤２６の取付け時に左配線１１１の挟み込みや引っ掛かりを防止でき、遊技盤２６の取付け作業性を向上し得る。しかも、移動許容部１１１ｂ自体の移動は、左ケース体１１３内で許容されているから、前記可動発光演出装置７７,７８の揺動に支障を来たすこともない。
【０１０８】
前記左側部演出ユニット７３においては、可動発光演出装置７７,７８の揺動時に移動しないモータ７９や検出手段１０９に一端が接続する他の配線１１８は、前記裏ユニットボッックス４６に形成された前記左第２配線孔１１９を介して裏側に引き出された後に、前記上部中継基板１１２に他端が接続されている。すなわち、可動発光演出装置７７,７８の揺動時に移動する左配線１１１と移動しない他の配線１１８との引き回す経路を異ならせることで、左配線１１１の移動許容部１１１ｂが可動発光演出装置７７,７８の揺動時に移動したときに他の配線１１８と干渉するのを防止し得る。これにより、左配線１１１の移動許容部１１１ｂと他の配線１１８が絡まることで移動許容部１１１ｂの移動が阻害されてしまうのを防ぐことができる。
【０１０９】
また、前記左配線１１１における左ケース体１１３の内部に臨む部位は、前記裏ユニットボックス４６に配設した前記左配線結束片１１４に結束具を介して結束されており、この結束部から前記導出口１１３ａを介して左ケース体１１３内から引き出された左配線１１１が、前記上部中継基板１１２に一端が接続して下部中継基板１１２に接続される他の配線１１５と共に前記係止フック１１７に係止されている。すなわち、左配線１１１が他の配線１１５と纏められる前に左配線結束片１１４に結束してあるから、前記移動許容部１１１ｂの動きが結束部から上部中継基板１１２までの間の左配線１１１に作用することはなく、該左配線１１１が他の配線１１５に絡まって移動許容部１１１ｂの移動の妨げとなるのを防止できる。また、左配線１１１と他の配線１１５とを別々に係止する係止フックを設ける必要もないから、構成の簡略化およびコストの抑制に寄与し得る。
【０１１０】
前記右側部演出ユニット７４における配線保護に関する作用については、前記左側部演出ユニット７３の場合と基本的には同じであるので、異なる部分についてのみ説明する。すなわち、右側部演出ユニット７４において、可動発光演出装置７７,７８の揺動時に移動しないモータ７９や検出手段１０９に一端が接続する他の配線１２４は、図３１に示す如く、前記裏ユニットボックス４６に形成された前記右第２配線孔１２５を介して裏側に引き出され、前記右ケース体１２２の裏面に設けた右係止部１２２ｂに係止した後に前記上部中継基板１１２に他端が接続されている。すなわち、可動発光演出装置７７,７８の揺動時に移動する右配線１２１と移動しない他の配線１２４との引き回す経路を異ならせることで、右配線１２１の移動許容部１２１ｂが可動発光演出装置７７,７８の揺動時に移動したときに他の配線１２４と干渉するのを防止し得る。これにより、右配線１２１の移動許容部１２１ｂと他の配線１２４が絡まることで移動許容部１２１ｂの移動が阻害されてしまうのを防ぐことができる。なお、前記裏ユニットボックス４６の裏側に引き出された右配線１２１の移動許容部１２１ｂについても、右ケース体１２２の内部に収容して裏ユニットボックス４６の外縁から外方に延出しないように構成してあるから、中枠１２に対する遊技盤２６の取付け時に右配線１２１の挟み込みや引っ掛かりを防止でき、遊技盤２６の取付け作業性を向上し得る。
【０１１１】
前記裏ユニットボックス４６に配設される左ケース体１１３の外側には、複数の左係止部１１３ｂが形成されており、該左係止部１１３ｂは各種の配線を係止するために用いられる。すなわち、左ケース体１１３は、可動発光演出装置７７,７８の揺動に伴い移動許容部１１１ｂが移動する左配線１１１の該移動許容部１１１ｂを遊技盤２６の外縁からはみ出すのを防止する機能だけでなく、各種の配線を係止する機能を有しているから、各種の配線を係止ためだけの係止片を裏ユニットボックス４６に設ける場合に比べて該ボックス４６の構造を簡略化し得る。また、裏ユニットボックス４６に対する各種電気部品の配設位置の変更や増加に伴い、配線が引き回される可能性の高い左ケース体１１３には、予め複数箇所に左係止部１１３ｂを形成してあるから、設計変更に際してケース体自体を交換することなく対応し得る。
【０１１２】
(可動発光演出装置の発光演出について)
前記図柄変動ゲームの演出に応じて発光演出される前記前後の可動発光演出装置７７,７８の作用は同一であるので、後可動発光演出装置７７の作用について説明する。すなわち、後可動発光演出装置７７に配設されている前記可動用ＬＥＤ基板９２のＬＥＤ９１を発光させると、該光は前記可動用光透過部材８９の屈折部９５の裏面に向けて照射される。屈折部９５に入射された光は、該屈折部９５の台形状に形成された突部９５ａの傾面から屈折されて外部に射出され、この光が前記可動用装飾カバー部材８５に設けた主副の反射部９３,９３および前壁８５ａの裏面で反射して屈折部９５に戻る。そして、屈折部９５に再び入射された光は、前記本体部８９ａに導入されて板面に沿って進み、該本体部８９ａの裏面に臨む可動用反射シート９０および可動用ベース部材８６の側壁８６ｂ内面等の反射面で反射されて、当該本体部８９ａの光拡散処理が施されていない前面から前方に射出される。前方に射出された光は、前記可動用透明部材８８を介して可動用装飾カバー部材８５の光透過部８５ｃを裏側から照明する。
【０１１３】
前記後可動発光演出装置７７における可動用ＬＥＤ基板９２は、図２９に示す如く、可動用装飾カバー部材８５の前壁８５ａと平行に延在するように配設してあるから、該カバー部材８５の裏側に必要とされる可動用ＬＥＤ基板９２の配設スペースを小さくすることができ、後可動発光演出装置７７の薄型化を図り得る。また、各可動用ＬＥＤ基板９２のＬＥＤ９１から照射される光を、屈折部９５で屈折し、主副の反射部９３,９４等で更に反射させて屈折部９５に戻した後に、可動用装飾カバー部材８５と平行に延在する可動用透過部材８９の本体部８９ａに端部側から導入するようにしたから、該本体部８９ａに対する光の入射角度がランダムとなり本体部８９ａ内で光が全体に広がり、少ないＬＥＤ９１により可動用装飾カバー部材８５の全体を照明することができる。すなわち、後可動発光演出装置７７の薄型化を図ったもとで、可動用装飾カバー部材８５の全体を少ないＬＥＤ９１により照明し得る。
【０１１４】
前記各ＬＥＤ９１の光を可動用光透過部材８９の本体部８９ａに導入し、該本体部８９ａの広い面(前面)から射出しているから、ＬＥＤ９１からの光が可動用装飾カバー部材８５の光透過部８５ｃで点光となって表われることはなく、演出効果が損なわれることはない。また、可動用光透過部材８９の本体部８９ａの裏面には光拡散処理が施されているから、該本体部８９ａに導入された光を拡散させることができ、ＬＥＤ９１からの光が線状となって表われるのを抑制し得る。
【０１１５】
前記後可動発光演出装置７７では、可動用発光透過部材８９および可動用ＬＥＤ基板９２を、図２９に示す如く、可動用装飾カバー部材８５と可動用ベース部材８６との間に画成される空間８７に収容しているから、可動用ＬＥＤ基板９２のＬＥＤ９１から照射される光を裏側に漏らすことなく可動用装飾カバー部材８５の光透過部８５ｃを効率的に照明し得る。但し、可動用ＬＥＤ基板９２が配設される側の壁に第１の放熱口９８を形成しているから、空間８７内に熱がこもるのを防止することができる。また可動用ＬＥＤ基板９２の裏面に配設される抵抗９７に対応して可動用ベース部材８６に第２の放熱口９９が形成してあるから、抵抗９７の発熱を抑制して故障するのを防止し得る。
【０１１６】
前記後可動発光演出装置７７での発光演出に際し、前記可動用ＬＥＤ基板９２に配設される複数のＬＥＤ９１は、その並び順に段階的に発光の変化を行なうよう制御される。この場合に、前述したように各ＬＥＤ９１からの光を、可動用光透過部材８９の本体部８９ａに対して屈折部９５を介して端部から導入して、該本体部８９ａの全体が発光(面発光)するよう構成しているから、隣り合うＬＥＤ９１,９１の発光による境界が分り難く、可動用装飾カバー部材８５の光透過部８５ｃを境目のない流れるような光のグラデーションで発光演出することができ、発光演出効果を向上し得る。
【０１１７】
前記可動用ＬＥＤ基板９２の複数のＬＥＤ９１は相互に一定間隔で離間し、かつ屈折部９５に対して一定間隔で離間するよう設定されているから、各ＬＥＤ９１から屈折部９５に照射される光の条件は同じとなり、可動用ＬＥＤ基板９２における各ＬＥＤ９１の光によるグラデーションはより境目のないものとして表現し得る。また、可動用光透過部材８９における本体部８９ａの裏面には光拡散処理が施されているから、グラデーションによる発光演出を行なう際には、ＬＥＤ９１からの光がより拡散され、むらなくグラデーションを表現することができる。更に、実施例では可動用光透過部材８９における本体部８９ａの裏面を覆う可動用反射シート９０の前面に、光の照射角度によって色の見え方が変わる処理を施しているから、本体部８９ａに対して屈折部９５を介して導入される光の入射角度が様々となることと相俟って、単色のＬＥＤを用いた場合でもカラフルな発光演出ができる。すなわち、発光演出に要するコストを低廉に抑えることができる。
【０１１８】
前記側部演出ユニット７３,７４を構成する前後の可動発光演出装置７７,７８は、可動用ＬＥＤ基板９２を可動用装飾カバー部材８５と平行に配置すると共に、可動用光透過部材８９の本体部８９ａに対して屈折部９５を介して端部から可動用ＬＥＤ基板９２のＬＥＤ９１の光を導入するよう構成することで夫々の薄型化が図られているから、２つの可動発光演出装置７７,７８を前後に重なる関係で配設しても、全体の前後寸法を小さく抑えることができる。また実施例では、側部演出ユニット７３,７４の前側に配設される固定発光演出装置４７,４８についても同様の薄型化が図られているから、固定発光演出装置４７,４８、複数の可動発光演出装置７７,７８を前後の関係で重なるように配設しても、遊技盤自体の厚み寸法を小さく抑えることができる。
【０１１９】
(変更例)
本願は前述した実施例の構成に限定されるものではなく、その他の構成を適宜に採用することができる。
【０１２０】
(1) 実施例では、発光演出装置において、光透過部材における本体部の端部に屈折部を設け、該屈折部で屈折した光を本体部に端部側から導入するよう構成したが、例えば図３５の構成を採用することができる。すなわち、発光演出装置の本体が、光を透過可能な光透過部を形成したカバー部材１２６と、該カバー部材１２６の裏側に組付けられる非光透過性のベース部材１２７とで構成され、両部材１２６,１２７の間に内部画成される空間１２８に、透明な板状の光透過部材１２９がカバー部材１２６と平行に収容される。また、ベース部材１２７の一端部には前後方向に開口する開口部１２７ａが形成されると共に、該開口部１２７ａの裏側を塞ぐようにしてＬＥＤ基板１３０がカバー部材１２６と平行に配設される。このＬＥＤ基板１３０の前側を向く実装面には、開口部１２７ａに臨むＬＥＤ(発光体)１３１が配設される。
【０１２１】
前記空間１２８には、ベース部材１２７の開口部１２７ａと対応する位置に、前記ＬＥＤ１３１から前方に向けて照射される光を、光透過部材１２９の他端部側に向けて反射する反射部材１３２が、光透過部材１２９の端面に沿って配設されている。この反射部材１３２は、非光透過性の樹脂材料から開口部１２７ａと略同じ長さ寸法に形成され、反射部材１３２には、ベース部材１２７の開口部１２７ａを指向する面が、開口部１２７ａから離間するにつれて前方に向けて他端部側に傾斜するよう形成されて、この傾斜面が反射面１３２ａとなっている。反射面１３２ａは、ＬＥＤ１３１の前側に臨んでおり、該ＬＥＤ１３１から反射面１３２ａに向けて照射される光は、該反射面１３２ａにおいて光透過部材１２９の他端部側に向けて反射されるよう構成してある。
【０１２２】
すなわち、前記ＬＥＤ１３１を発光させると、該光は光透過部材１２９を透過して反射部材１３２の反射面１３２ａに至り、該反射面１３２ａで反射した光が、光透過部材１２９に端面から導入される。そして、光透過部材１２９に導入された光は、該光透過部材１２９の板面に沿って他端部側に進み、ベース部材１２７の内面(反射面)で反射されて、当該光透過部材１２９における光を反射する処理を施していない前面から前方に射出され、前記カバー部材１２６の光透過部を裏側から照明する。
【０１２３】
この変更例においても、前記ＬＥＤ基板１３１は、カバー部材１２６と平行に延在するように配設してあるから、カバー部材１２６の裏側に必要とされるＬＥＤ基板１３１の配設スペースを小さくすることができ、発光演出装置の薄型化を図り得る。また、ＬＥＤ１３１から照射される光を、反射部材１３２の反射面１３２ａでカバー部材１２６と平行に延在する光透過部材１２９に端面側から導入するようにしたから、該光透過部材１２９内で光が全体に広がり、少ないＬＥＤ１３１によりカバー部材１２６の全体を照明することができる。すなわち、発光演出装置の薄型化を図ったもとで、カバー部材１２６の全体を少ないＬＥＤ１３１により照明し得る。
【０１２４】
(2) 実施例では、固定発光演出装置の後側に２つの可動発光演出装置を配設したが、可動発光演出装置は１つまたは３つ以上であってもよい。
(3) 実施例では、裏ユニットを、裏ユニットベースと裏ユニットボックスとで構成した場合で説明したが、裏ユニットボックスのみから裏ユニットを構成したものであってもよい。すなわち、裏ユニットベースに配設される各種装置の設置部を裏ユニットボックスに設けることで対応し得る。
(4) 実施例では、側部演出ユニットにおける前後の可動発光演出装置を、係合突起と係合孔との係合作用により連動するよう構成したが、両可動発光演出装置を連動する手段は、これに限らずリンク機構等、他の手段を用いることができる。
(5) 実施例では、前後の可動発光演出装置の対向面間に突起により隙間を設けるようにしたが、ベアリング等の回転する手段により隙間を設けることで、よりスムーズな移動を図ることができる。
(6) 実施例では、前後の可動発光演出装置のＬＥＤ基板に接続する左右の配線の移動許容部をケース体に収容するよう構成したが、移動許容部が遊技盤の外縁側からはみ出すのを防止し得るものであれば、裏ユニットの裏面から突出する壁部であってもよい。すなわち、配線の移動許容部の移動を許容すると共に、遊技盤の外縁側からのはみ出しを防止し得るものであればよい。
(7) 実施例の左ケース体では、上部および左側部に左係止部を形成したが、図３６に示す如く、右側部にも第２の左係止部１３３を形成し、該左係止部１３３によって前記上部中継基板１１２に一端が接続される他の配線１１５を係止する構成を採用し得る。
(8) 遊技機としては、パチンコ機に限られるものではなく、アレンジボール機やパチンコ球を用いたスロットマシン等、その他各種の遊技機であってもよい。
【符号の説明】
【０１２５】
１２  中枠
２６  遊技盤
２９  裏ユニット
７７  後可動発光演出装置(可動体)
７８  前可動発光演出装置(可動体)
７９  モータ(駆動手段,第２の電気部品,他の電気部品)
８０  取付部材(可動体を支持する部材)
９２  可動用ＬＥＤ基板(第１の電気部品)
１０９  検出手段(第２の電気部品,他の電気部品)
１１０  左第１配線孔(第１配線孔)
１１１  左配線(第１の配線)
１１１ｂ  移動許容部
１１２  上部中継基板(基板)
１１３  左ケース体(ケース体,保護部材)
１１３ｂ  左係止部(係止部)
１１４  左配線結束片(第２の係止部)
１１５  他の配線
１１８  他の配線(第２の配線)
１１９  左第２配線孔(第２配線孔)
１２０  右第１配線孔(第１配線孔)
１２１  右配線(第１の配線)
１２１ｂ  移動許容部
１２２  右ケース体(ケース体,保護部材)
１２２ｂ  右係止部(係止部)
１２３  右配線結束片(第２の係止部)
１２４  他の配線(第２の配線)
１２５  右第２配線孔(第２配線孔)
１３３  第２の左係止部(係止部)
【図１】
0005457752.tif 000002
【図２】
0005457752.tif 000003
【図３】
0005457752.tif 000004
【図４】
0005457752.tif 000005
【図５】
0005457752.tif 000006
【図６】
0005457752.tif 000007
【図７】
0005457752.tif 000008
【図８】
0005457752.tif 000009
【図９】
0005457752.tif 000010
【図１０】
0005457752.tif 000011
【図１１】
0005457752.tif 000012
【図１２】
0005457752.tif 000013
【図１３】
0005457752.tif 000014
【図１４】
0005457752.tif 000015
【図１５】
0005457752.tif 000016
【図１６】
0005457752.tif 000017
【図１７】
0005457752.tif 000018
【図１８】
0005457752.tif 000019
【図１９】
0005457752.tif 000020
【図２０】
0005457752.tif 000021
【図２１】
0005457752.tif 000022
【図２２】
0005457752.tif 000023
【図２３】
0005457752.tif 000024
【図２４】
0005457752.tif 000025
【図２５】
0005457752.tif 000026
【図２６】
0005457752.tif 000027
【図２７】
0005457752.tif 000028
【図２８】
0005457752.tif 000029
【図２９】
0005457752.tif 000030
【図３０】
0005457752.tif 000031
【図３１】
0005457752.tif 000032
【図３２】
0005457752.tif 000033
【図３３】
0005457752.tif 000034
【図３４】
0005457752.tif 000035
【図３５】
0005457752.tif 000036
【図３６】
0005457752.tif 000037